(57)【特許請求の範囲】
【請求項１】
０系と１系の回線を終端する２系統の端末パッケージと、
０系と１系の伝送路に接続する２系統の伝送路パッケージと、
受信セレクタを持たず、複数の入出力ポートのいずれかに接続される前記端末パッケージと、前記端末パッケージとは異なる入出力ポートに接続される前記伝送路パッケージとの間の前記入出力ポート間の接続経路を切り替える２系統のスイッチパッケージと
で構成される伝送装置において、
前記スイッチパッケージは、
前記接続経路を切り替えるための複数経路の回線データを予め保持する回線データ記憶部と、
前記接続経路を切り替えるためのスイッチ部と、
前記回線データ記憶部に保持された前記回線データに基づいて前記スイッチ部の切り替えを行う切り替え制御部と
で構成されることを特徴とする伝送装置。
【請求項２】
請求項１に記載の伝送装置において、
前記伝送装置内の回線異常区間を検出する故障検出部を更に設け、
前記切り替え制御部は、前記故障検出部が検出した回線異常区間を迂回する経路の回線データを前記回線データ記憶部から読み出して前記スイッチ部の接続経路を切り替える
ことを特徴とする伝送装置。
【請求項３】
請求項１または２に記載の伝送装置において、
前記スイッチ部は、前記複数の入出力ポート間の接続をオンオフするクロスコネクトスイッチで構成され、
前記回線データ記憶部に記憶される回線データは、前記複数の入出力ポート間の接続関係を示すクロスコネクトテーブルである
ことを特徴とする伝送装置。
【請求項４】
請求項１から３のいずれか一項に記載の伝送装置において、
前記回線データ記憶部に記憶される複数経路の回線データは、前記端末パッケージを二重化運用するための回線データと、二重化運用中の前記端末パッケージから一重化運用へ変更するための回線データと、一重化運用中の前記端末パッケージから二重化運用へ変更するための回線データとを少なくとも含むことを特徴とする伝送装置。
【請求項５】
請求項２に記載の伝送装置において、
前記故障検出部は、前記スイッチパッケージのポートの入力異常を検出し、
前記回線データ記憶部は、前記スイッチパッケージのポート毎に、通常運用回線データと、ペアポート異常回線データとを予め記憶し、
前記切り替え制御部は、前記故障検出部がポートの入力異常を検出しない場合には前記通常運用回線データに基づいて前記接続経路の切り替えを行い、前記故障検出部がポートの入力異常を検出した場合には前記ペアポート異常回線データに基づいて前記接続経路の切り替えを行う
ことを特徴とする伝送装置。
【請求項６】
請求項２に記載の伝送装置において、
前記故障検出部は、前記スイッチパッケージのポートの入力異常を検出し、
前記回線データ記憶部は、切り替え可能な第１メモリと第２メモリとで構成され、前記スイッチパッケージのポート毎の通常運用回線データを前記第１メモリに、前記スイッチパッケージのポート毎のペアポート異常回線データを前記第２メモリにそれぞれ記憶し、
前記切り替え制御部は、前記故障検出部がポートの入力異常を検出しない場合には前記第１メモリの回線データに基づいて前記接続経路の切り替えを行い、前記故障検出部がポートの入力異常を検出した場合には前記第２メモリの回線データに基づいて前記接続経路の切り替えを行う
ことを特徴とする伝送装置。
【請求項７】
請求項５に記載の伝送装置において、
前記回線データ記憶部は、前記スイッチパッケージのポート毎に、通常運用回線データと、複数のペアポート異常回線データとを予め記憶し、
前記切り替え制御部は、前記故障検出部がポートの入力異常を検出しない場合には前記通常運用回線データに基づいて前記接続経路の切り替えを行い、前記故障検出部がポートの入力異常を検出した場合には前記複数のペアポート異常回線データのいずれかに基づいて前記接続経路の切り替えを行う
ことを特徴とする伝送装置。
【請求項８】
請求項６に記載の伝送装置において、
前記回線データ記憶部を切り替え可能な複数のメモリで構成し、前記スイッチパッケージのポート毎に、通常運用回線データと複数のペアポート異常回線データとを作成して前記複数のメモリにそれぞれ記憶し、
前記切り替え制御部は、前記故障検出部がポートの入力異常を検出しない場合には前記通常運用回線データを記憶するメモリの回線データに基づいて前記接続経路の切り替えを行い、前記故障検出部がポートの入力異常を検出した場合には前記複数のペアポート異常回線データを記憶する前記複数のメモリのいずれか１つのメモリの回線データに基づいて前記接続経路の切り替えを行う
ことを特徴とする伝送装置。
【請求項９】
０系と１系の回線を終端する２系統の端末パッケージと、０系と１系の伝送路に接続する２系統の伝送路パッケージと、受信セレクタを持たず、複数の入出力ポートのいずれかに接続される前記端末パッケージと、前記端末パッケージとは異なる入出力ポートに接続される前記伝送路パッケージとの間の前記入出力ポート間の接続経路を切り替える２系統のスイッチパッケージとで構成される伝送装置の回線データを作成する回線データ作成方法において、
前記回線データは、前記端末パッケージを二重化運用するための回線データと、二重化運用中の前記端末パッケージから一重化運用へ変更するための回線データと、一重化運用中の前記端末パッケージから二重化運用へ変更するための回線データとを少なくとも含む
ことを特徴とする伝送装置における回線データ作成方法。
【請求項１０】
請求項９に記載の回線データ作成方法において、
前記伝送装置を二重化運用する場合の回線データは、
０系の前記端末パッケージからの経路は０系のスイッチパッケージにのみ疎通ルートを形成し、１系の前記端末パッケージからの経路は１系のスイッチパッケージにのみ疎通ルートを形成される
ことを特徴とする回線データ作成方法。
【発明の詳細な説明】
【技術分野】
【０００１】
本発明は、０系および１系で二重化された回線を用いられ、伝送路パッケージおよび端末パッケージを接続するＳＷ（スイッチ）パッケージを有する伝送装置における二重化運用技術に関する。特に、受信セレクタを持たないＳＷパッケージと、シェルフ内で共用バスによって接続される端末パッケージとを有する伝送装置において、端末パッケージを二重化運用する為の回線切り替え技術に関する。
【背景技術】
【０００２】
０系および１系で二重化された回線を用いる伝送システム９００の従来例を図２８に示す。図２８において、伝送システム９００は、伝送装置９１０と、伝送装置９２０と、伝送装置９３０とで構成されている。そして、伝送装置９１０の端末Ａパッケージ（以降の図では端末Ａ＿ＰＫＧと記載）９１１から、伝送装置９２０を介して伝送装置９３０の端末Ｂパッケージ（以降の図では端末Ｂ＿ＰＫＧと記載）９３１までの間に、０系と１系の回線が構築される。
【０００３】
伝送装置９１０は、ユーザー側の伝送装置（不図示）を接続するための端末Ａパッケージ９１１と、０系のスイッチパッケージ（以降の図ではＳＷ＿ＰＫＧ（０系）と記載）９１２と、０系の伝送路パッケージ（以降の図では伝送路＿ＰＫＧ（０系）と記載）９１３と、１系のスイッチパッケージ（以降の図ではＳＷ＿ＰＫＧ（１系）と記載）９１４と、１系の伝送路パッケージ（以降の図では伝送路＿ＰＫＧ（１系）と記載）９１５とで構成される。
【０００４】
端末Ａ＿ＰＫＧ９１１は、ＳＷ＿ＰＫＧ（０系）９１２およびＳＷ＿ＰＫＧ（１系）９１４が出力する二系統の信号を選択するための受信セレクタ９１１ａを有している。尚、受信セレクタ９１１ａは、伝送装置９１０の装置制御部である制御盤（不図示）によって制御され、ＳＷ＿ＰＫＧ（０系）９１２およびＳＷ＿ＰＫＧ（１系）９１４が出力する二系統の信号のいずれかを選択して端末Ａ＿ＰＫＧ９１１に入力し、ユーザー側の伝送装置に出力する。また、ユーザー側の伝送装置から端末Ａ＿ＰＫＧ９１１に入力する信号は、ＳＷ＿ＰＫＧ（０系）９１２およびＳＷ＿ＰＫＧ（１系）９１４の両方に出力される。
【０００５】
ＳＷ＿ＰＫＧ（０系）９１２およびＳＷ＿ＰＫＧ（１系）９１４は、パッケージを接続するための複数の入出力ポートを有し、これらの入出力ポートはクロスポイントスイッチで相互に自由に接続できるようになっている。そして、例えば伝送装置９１０の場合は、いずれかのポートに装着される端末Ａ＿ＰＫＧ９１１と、別のポートに装着される伝送路＿ＰＫＧ（０系）９１３および伝送路＿ＰＫＧ（１系）９１５との間の接続を行い、０系の上り回線（端末Ｂ＿ＰＫＧ９３１から端末Ａ＿ＰＫＧ９１１の方向の回線）および０系の下り回線（端末Ａ＿ＰＫＧ９１１から端末Ｂ＿ＰＫＧ９３１の方向の回線）や、同様に１系の上り回線／下り回線を構築する。
【０００６】
伝送路＿ＰＫＧ（０系）９１３および伝送路＿ＰＫＧ（１系）９１５は、伝送装置９１０の接続先の伝送装置である伝送装置９２０との間で信号を送受信する。
【０００７】
このようにして、伝送装置９１０に接続されるユーザー側の伝送装置の送受信信号は、０系と１系の二重化された回線で伝送装置９２０に接続される。
【０００８】
図２８において、伝送装置９２０は、伝送路Ａ＿ＰＫＧ（０系）９２１と、ＳＷ＿ＰＫＧ（０系）９２２と、伝送路Ｂ＿ＰＫＧ（０系）９２３とで０系の回線を構成し、伝送路Ａ＿ＰＫＧ（１系）９２４と、ＳＷ＿ＰＫＧ（１系）９２５と、伝送路Ｂ＿ＰＫＧ（１系）９２６とで１系の回線を構成する。
【０００９】
伝送路Ａ＿ＰＫＧ（０系）９２１および伝送路Ａ＿ＰＫＧ（１系）９２４は、伝送装置９１０との間で信号を送受信し、伝送路Ｂ＿ＰＫＧ（０系）９２３および伝送路Ｂ＿ＰＫＧ（１系）９２６は、伝送装置９３０との間で信号を送受信する。
【００１０】
ＳＷ＿ＰＫＧ（０系）９２２およびＳＷ＿ＰＫＧ（１系）９２５は、先に説明した伝送装置９１０のＳＷ＿ＰＫＧ（０系）９１２およびＳＷ＿ＰＫＧ（１系）９１４と同様に、パッケージを接続するための複数の入出力ポートを有し、これらの入出力ポートはクロスポイントスイッチで相互に自由に接続することができるようになっている。そして、例えば伝送装置９２０の場合、ＳＷ＿ＰＫＧ（０系）９２２は、いずれかのポートに装着される伝送路Ａ＿ＰＫＧ（０系）９２１と、別のポートに装着される伝送路Ｂ＿ＰＫＧ（０系）９２３との間の接続を行い、ＳＷ＿ＰＫＧ（１系）９２５は、伝送路Ａ＿ＰＫＧ（１系）９２４と伝送路Ｂ＿ＰＫＧ（１系）９２６との間の接続を行い、それぞれ０系および１系における上り回線と下り回線とを構築する。
【００１１】
このようにして、伝送装置９２０は、伝送装置９１０と伝送装置９３０との間に０系と１系の二重化された回線を構築する。
【００１２】
図２８において、伝送装置９３０は、ユーザー側の伝送装置（不図示）を接続するための端末Ｂ＿ＰＫＧ９３１と、ＳＷ＿ＰＫＧ（０系）９３２と、伝送路＿ＰＫＧ（０系）９３３と、ＳＷ＿ＰＫＧ（１系）９３４と、伝送路＿ＰＫＧ（１系）９３５とで構成される。尚、伝送装置９３０は伝送装置９１０と同じ構成で、端末Ｂ＿ＰＫＧ９３１は端末Ａ＿ＰＫＧ９１１に、ＳＷ＿ＰＫＧ（０系）９３２はＳＷ＿ＰＫＧ（０系）９１２に、伝送路＿ＰＫＧ（０系）９３３は伝送路＿ＰＫＧ（０系）９１３に、ＳＷ＿ＰＫＧ（１系）９３４はＳＷ＿ＰＫＧ（１系）９１４に、伝送路＿ＰＫＧ（１系）９３５は伝送路＿ＰＫＧ（１系）９１５に、それぞれ対応し、同様に動作する。
【００１３】
このように、従来の二重化回線は、０系の回線と１系の回線とが独立して２つの回線を構築している。そして、０系の回線に障害が発生した場合は１系の回線に切り替え、１系の回線に障害が発生した場合は０系の回線に切り替えることによって、伝送システムの冗長性を確保している。尚、図２８では、０系の回線は選択系の回線（選択された運用中の回線）で、太線実線で示した経路が選択系の上り回線、太線点線で示した経路が選択系の下り回線をそれぞれ示す。また、１系の回線は非選択系の回線（選択されていない非運用中の回線）で、上り回線および下り回線共に細線点線で示してある。
【００１４】
ところが、０系の回線と１系の回線の両方で障害が発生した場合、例えば伝送装置９２０の伝送路Ａ＿ＰＫＧ（０系）９２１と伝送路Ｂ＿ＰＫＧ（１系）９２６とで障害が発生すると、通信できなくなってしまう。この場合、伝送装置９１０と伝送装置９２０および伝送装置９２０と伝送装置９３０の間の回線は、共に活きている回線であるにも拘らず、回線断になってしまうという問題が生じる。
【００１５】
そこで、伝送装置９２０内で０系と１系の回線を相互に接続して迂回路を構築すれば、上記のような二重障害が発生した場合でも回線を維持することができる。図２９は、伝送装置９２０の代わりに伝送装置９２０ａを配置した伝送システム９００ａの一例を示す図である。尚、伝送システム９００ａにおいて、伝送システム９００と同符号のものは同じものを示す。伝送システム９００ａと伝送システム９００との違いは、伝送装置９２０ａに回線終端用の端末パッケージ（端末＿ＰＫＧ９２７）が配置され、受信セレクタ９２７ａおよび受信セレクタ９２７ｂによって、０系の回線と１系の回線とを切り替えて、相互に接続できるようになっている。上記以外の伝送路Ａ＿ＰＫＧ（０系）９２１，伝送路Ｂ＿ＰＫＧ（０系）９２３，伝送路Ａ＿ＰＫＧ（１系）９２４，伝送路Ｂ＿ＰＫＧ（１系）９２６，ＳＷ＿ＰＫＧ（０系）９２２およびＳＷ＿ＰＫＧ（１系）９２５は、伝送装置９２０と同じである。ここで、一般的に端末パッケージは二重化された回線を終端して利用するので、一重化で運用される場合が多く、内部の受信セレクタで二重化された回線のいずれかを選択できる構成になっている。端末＿ＰＫＧ９２７も双方向に受信セレクタ有しているが、基本的には端末Ａ＿ＰＫＧ９１１や端末Ｂ＿ＰＫＧ９３１と同様の端末パッケージである。
【００１６】
端末＿ＰＫＧ９２７は、ＳＷ＿ＰＫＧ（０系）９２２を介して入力する伝送路Ａ＿ＰＫＧ（０系）９２１の信号と、ＳＷ＿ＰＫＧ（１系）９２５を介して入力する伝送路Ａ＿ＰＫＧ（１系）９２４の信号とを受信セレクタ９２７ｂによって選択し、再びＳＷ＿ＰＫＧ（０系）９２２を介して伝送路Ｂ＿ＰＫＧ（０系）９２３に出力し、同時にＳＷ＿ＰＫＧ（１系）９２５を介して伝送路Ｂ＿ＰＫＧ（１系）９２６に出力する。
【００１７】
同様に、端末＿ＰＫＧ９２７は、ＳＷ＿ＰＫＧ（０系）９２２を介して入力する伝送路Ｂ＿ＰＫＧ（０系）９２３の信号と、ＳＷ＿ＰＫＧ（１系）９２５を介して入力する伝送路Ａ＿ＰＫＧ（１系）９２６の信号とを受信セレクタ９２７ａによって選択し、再びＳＷ＿ＰＫＧ（０系）９２２を介して伝送路Ｂ＿ＰＫＧ（０系）９２１に出力し、同時にＳＷ＿ＰＫＧ（１系）９２５を介して伝送路Ｂ＿ＰＫＧ（１系）９２４に出力する。
【００１８】
このようにして、伝送装置９２０ａは、端末＿ＰＫＧ９２７から紙面上側の端末Ａ＿ＰＫＧ９１１までの回線と、端末＿ＰＫＧ９２７から紙面下側の端末Ｂ＿ＰＫＧ９３１までの回線とをそれぞれ異なる系に設定することができる。例えば端末Ａ＿ＰＫＧ９１１から端末＿ＰＫＧ９２７までを０系の回線に設定し、端末＿ＰＫＧ９２７から端末Ｂ＿ＰＫＧ９３１までを１系の回線に設定することができる。同様に、０系と１系とを逆の回線に設定することも可能である。これにより、例えば伝送装置９２０ａの伝送路Ａ＿ＰＫＧ（０系）９２１と伝送路Ｂ＿ＰＫＧ（１系）９２６とで障害が発生した場合は、端末＿ＰＫＧ９２７から端末Ａ＿ＰＫＧ９１１までの回線を１系にして、端末＿ＰＫＧ９２７から端末Ｂ＿ＰＫＧ９３１までの回線を０系に設定することで通信回線を維持することができる。尚、受信セレクタによる二重化技術は、例えば特許文献１に記載されている。
【特許文献１】特開平０４−２３６５３１号公報
【発明の開示】
【発明が解決しようとする課題】
【００１９】
ところが、伝送システム９００ａの場合は、端末＿ＰＫＧ９２７の部分が一重化運用していることになるので、端末＿ＰＫＧ９２７に障害が発生した場合は通信できなくなってしまう。つまり、二重故障の対策のために端末＿ＰＫＧ９２７を設けたことにより二重化運用に支障をきたすという新たな問題が生じる。
【００２０】
ここで、ＳＷ＿ＰＫＧ（０系）９２２やＳＷ＿ＰＫＧ（１系）９３４に受信セレクタを持たせる案が考えられるが、先に説明したように、これらのスイッチパッケージは複数の入出力ポートを用いて装着される各パッケージ間の接続を行うため、各ポート毎に受信セレクタを設ける必要があり、また受信セレクタで選択すべきポートが隣接するポートではない場合なども想定され、実現できたとしても複雑な回路構成となり、コスト的な問題が生じる。このため、スイッチパッケージには受信セレクタが搭載されないのが一般的である。本発明は、このような受信セレクタを持たないスイッチパッケージを有する伝送装置における二重化の問題を解決するための技術である。
【００２１】
次に、二重故障の対策のために端末＿ＰＫＧ９２７を設けたことにより二重化運用に支障をきたすという新たな問題を解決するために、端末＿ＰＫＧ９２７も二重化する案が考えられる。図３０は、伝送装置９２０ａの代わりに伝送装置９２０ｂを配置した伝送システム９００ｂの一例を示す図である。尚、伝送システム９００ｂにおいて、伝送システム９００および伝送システム９００ａと同符号のものは同じものを示す。伝送システム９００ａと伝送システム９００ｂとの違いは、伝送装置９２０ｂに端末＿ＰＫＧ（０系）９２８および端末＿ＰＫＧ（１系）９２９が配置され、二重化されていることである。また、端末＿ＰＫＧ（０系）９２８は、受信セレクタ９２８ａおよび受信セレクタ９２８ｂによって、０系の回線と１系の回線とを切り替えて、相互に接続できるようになっている。同様に、端末＿ＰＫＧ（１系）９２９は、受信セレクタ９２９ａおよび受信セレクタ９２９ｂによって、０系の回線と１系の回線とを切り替えて、相互に接続できるようになっている。
【００２２】
尚、上記以外の伝送路Ａ＿ＰＫＧ（０系）９２１，伝送路Ｂ＿ＰＫＧ（０系）９２３，伝送路Ａ＿ＰＫＧ（１系）９２４，伝送路Ｂ＿ＰＫＧ（１系）９２６，ＳＷ＿ＰＫＧ（０系）９２２およびＳＷ＿ＰＫＧ（１系）９２５は、伝送装置９２０および伝送装置９２０ａと同じである。
【００２３】
ところが、端末＿ＰＫＧ（０系）９２８から伝送路＿ＰＫＧ（０系）９２１へ出力するためにＳＷ＿ＰＫＧ（０系）９２２に入る信号と、端末＿ＰＫＧ（１系）９２９から伝送路＿ＰＫＧ（０系）９２１へ出力するためにＳＷ＿ＰＫＧ（０系）９２２に入る信号とが衝突するという問題が新たに生じる。同様に、端末＿ＰＫＧ（０系）９２８から伝送路＿ＰＫＧ（１系）９２４へ出力するためにＳＷ＿ＰＫＧ（１系）９２５に入る信号と、端末＿ＰＫＧ（１系）９２９から伝送路＿ＰＫＧ（１系）９２４へ出力するためにＳＷ＿ＰＫＧ（１系）９２５に入る信号とが衝突する。伝送装置９３０側の伝送路Ｂ＿ＰＫＧ（０系）９２３および伝送路Ｂ＿ＰＫＧ（１系）９２６へそれぞれ出力するためにＳＷ＿ＰＫＧ（０系）９２２およびＳＷ＿ＰＫＧ（１系）９２５に入る信号も衝突するという問題が生じる。
【００２４】
つまり、受信セレクタを持たないスイッチパッケージを搭載する従来の伝送装置９２０は二重障害に対応できないという問題があり、二重障害を回避するために端末＿ＰＫＧ９２７を設けた伝送装置９２０ａは端末＿ＰＫＧ９２７で一重化運用しかできないという問題があり、さらに端末＿ＰＫＧ９２７を二重化した伝送装置９２０ｂでは主信号が衝突するという問題が生じる。
【００２５】
上記課題に鑑み、本発明の目的は、二重障害を回避するために端末パッケージで二重化運用する場合でも信号の衝突を回避できる伝送装置および回線データ作成方法を提供することである。
【課題を解決するための手段】
【００２６】
請求項１に係る伝送装置は、０系と１系の回線を終端する２系統の端末パッケージと、０系と１系の伝送路に接続する２系統の伝送路パッケージと、受信セレクタを持たず、複数の入出力ポートのいずれかに接続される前記端末パッケージと、前記端末パッケージとは異なる入出力ポートに接続される前記伝送路パッケージとの間の前記入出力ポート間の接続経路を切り替える２系統のスイッチパッケージとで構成される伝送装置において、前記スイッチパッケージは、前記接続経路を切り替えるための複数経路の回線データを予め保持する回線データ記憶部と、前記接続経路を切り替えるためのスイッチ部と、前記回線データ記憶部に保持された前記回線データに基づいて前記スイッチ部の切り替えを行う切り替え制御部とで構成されることを特徴とする。
【００２７】
請求項２に係る伝送装置は、請求項１に記載の伝送装置において、前記伝送装置内の回線異常区間を検出する故障検出部を更に設け、前記切り替え制御部は、前記故障検出部が検出した回線異常区間を迂回する経路の回線データを前記回線データ記憶部から読み出して前記スイッチ部の接続経路を切り替えることを特徴とする。
【００２８】
請求項３に係る伝送装置は、請求項１または２に記載の伝送装置において、前記スイッチ部は、前記複数の入出力ポート間の接続をオンオフするクロスコネクトスイッチで構成され、前記回線データ記憶部に記憶される回線データは、前記複数の入出力ポート間の接続関係を示すクロスコネクトテーブルであることを特徴とする。
【００２９】
請求項４に係る伝送装置は、請求項１から３のいずれか一項に記載の伝送装置において、前記回線データ記憶部に記憶される複数経路の回線データは、前記端末パッケージを二重化運用するための回線データと、二重化運用中の前記端末パッケージから一重化運用へ変更するための回線データと、一重化運用中の前記端末パッケージから二重化運用へ変更するための回線データとを少なくとも含むことを特徴とする。
【００３０】
請求項５に係る伝送装置は、請求項２に記載の伝送装置において、前記故障検出部は、前記スイッチパッケージのポートの入力異常を検出し、前記回線データ記憶部は、前記スイッチパッケージのポート毎に、通常運用回線データと、ペアポート異常回線データとを予め記憶し、前記切り替え制御部は、前記故障検出部がポートの入力異常を検出しない場合には前記通常運用回線データに基づいて前記接続経路の切り替えを行い、前記故障検出部がポートの入力異常を検出した場合には前記ペアポート異常回線データに基づいて前記接続経路の切り替えを行うことを特徴とする。
【００３１】
請求項６に係る伝送装置は、請求項２に記載の伝送装置において、前記故障検出部は、前記スイッチパッケージのポートの入力異常を検出し、前記回線データ記憶部は、切り替え可能な第１メモリと第２メモリとで構成され、前記スイッチパッケージのポート毎の通常運用回線データを前記第１メモリに、前記スイッチパッケージのポート毎のペアポート異常回線データを前記第２メモリにそれぞれ記憶し、前記切り替え制御部は、前記故障検出部がポートの入力異常を検出しない場合には前記第１メモリの回線データに基づいて前記接続経路の切り替えを行い、前記故障検出部がポートの入力異常を検出した場合には前記第２メモリの回線データに基づいて前記接続経路の切り替えを行うことを特徴とする。
【００３２】
請求項７に係る伝送装置は、請求項５に記載の伝送装置において、前記回線データ記憶部は、前記スイッチパッケージのポート毎に、通常運用回線データと、複数のペアポート異常回線データとを予め記憶し、前記切り替え制御部は、前記故障検出部がポートの入力異常を検出しない場合には前記通常運用回線データに基づいて前記接続経路の切り替えを行い、前記故障検出部がポートの入力異常を検出した場合には前記複数のペアポート異常回線データのいずれかに基づいて前記接続経路の切り替えを行うことを特徴とする。
【００３３】
請求項８に係る伝送装置は、請求項６に記載の伝送装置において、前記回線データ記憶部を切り替え可能な複数のメモリで構成し、前記スイッチパッケージのポート毎に、通常運用回線データと複数のペアポート異常回線データとを作成して前記複数のメモリにそれぞれ記憶し、前記切り替え制御部は、前記故障検出部がポートの入力異常を検出しない場合には前記通常運用回線データを記憶するメモリの回線データに基づいて前記接続経路の切り替えを行い、前記故障検出部がポートの入力異常を検出した場合には前記複数のペアポート異常回線データを記憶する前記複数のメモリのいずれか１つのメモリの回線データに基づいて前記接続経路の切り替えを行うことを特徴とする。
【００３４】
請求項９に係る回線データ作成方法は、０系と１系の回線を終端する２系統の端末パッケージと、０系と１系の伝送路に接続する２系統の伝送路パッケージと、受信セレクタを持たず、複数の入出力ポートのいずれかに接続される前記端末パッケージと、前記端末パッケージとは異なる入出力ポートに接続される前記伝送路パッケージとの間の前記入出力ポート間の接続経路を切り替える２系統のスイッチパッケージとで構成される伝送装置の回線データを作成する回線データ作成方法において、前記回線データは、前記端末パッケージを二重化運用するための回線データと、二重化運用中の前記端末パッケージから一重化運用へ変更するための回線データと、一重化運用中の前記端末パッケージから二重化運用へ変更するための回線データとを少なくとも含むことを特徴とする。
【００３５】
請求項１０に係る回線データ作成方法は、請求項９に記載の回線データ作成方法において、前記伝送装置を二重化運用する場合の回線データは、０系の前記端末パッケージからの経路は０系のスイッチパッケージにのみ疎通ルートを形成し、１系の前記端末パッケージからの経路は１系のスイッチパッケージにのみ疎通ルートを形成されることを特徴とする。
【発明の効果】
【００３６】
本発明によれば、二重障害を回避するために端末パッケージで二重化運用する場合でも信号の衝突を回避することができる。
【００３７】
特に、スイッチパッケージ側に受信セレクタを持たない構成の伝送装置において、端末パッケージの二重化運用が可能であり、障害発生時における回線の信頼性を向上できる。
【００３８】
また、端末パッケージを一重化運用する場合とほぼ同等の手順で、二重化運用時の回線データを作成可能なので、操作性の向上と誤設定を防止できる。
【００３９】
さらに、端末パッケージを一重化または二重化で運用している回線データに関して、一重化から二重化へ、またその逆の変更が容易なので、操作性の向上と誤設定を防止できる。
【００４０】
また、端末パッケージに故障が発生した場合でも回線の疎通ルートを最適化するので、ネットワーク全体の回線の信頼性を向上できる。
【００４１】
さらに、端末パッケージを三重化や四重化のようにハードウェアの受信セレクタに依存しない運用が可能なので、重要回線において更なる回線の信頼性を向上できる。
【図面の簡単な説明】
【００４２】
【図１】本発明に係る伝送システム１００の一例を示す図である。
【図２】本発明方式におけるスイッチパッケージのポート接続例を示す図である。
【図３】クロスコネクトテーブル（接続テーブル）の一例を示す図である。
【図４】本発明方式における０系端末パッケージ故障時の疎通ルート例を示す図である。
【図５】端末パッケージを二重化する場合の問題点を示す伝送システム９００ｂの一例を示す図である。
【図６】端末パッケージを二重化する場合の問題点を示す伝送システム９００ｂの一例を示す図である。
【図７】ＳＷパッケージと０系の端末パッケージとの接続例を示す図である。
【図８】０系端末パッケージの回線データ例を示す図である。
【図９】ＳＷパッケージと０系／１系端末パッケージとの接続例（疎通可能）を示す図である。
【図１０】０系および１系の端末パッケージの回線データ例を示す図である。
【図１１】ＳＷパッケージと０系／１系端末パッケージとの接続例（疎通不可能）を示す図である。
【図１２】０系および１系の端末パッケージの設定を逆にした場合の接続例を示す図である。
【図１３】隣接しない２ポートに０系および１系の端末パッケージ搭載をした場合の接続例を示す図である。
【図１４】０系ＳＷパッケージ内の疎通ルート（構築前）の一例を示す図である。
【図１５】０系ＳＷパッケージの回線データ（構築前／構築後） の一例を示す図である。
【図１６】０系ＳＷパッケージ内の疎通ルート（構築後）の一例を示す図である。
【図１７】実装設定，回線設定，保存処理のフローチャート概要を示す図である。
【図１８】一般的な回線設定のフローチャートを示す図である。
【図１９】パッケージ毎設定データ作成処理フローチャートを示す図である。
【図２０】本発明方式でのパッケージ毎設定データ作成処理フローチャート概要を示す図である。
【図２１】本発明方式での０系パッケージ毎設定データ作成処理フローチャートを示す図である。
【図２２】本発明方式での１系パッケージ毎設定データ作成処理フローチャートを示す図である。
【図２３】本発明方式でのＳＷパッケージ毎設定データ作成処理フローを示す図である。
【図２４】３重化構成時の各ポート毎回線データ（通常運用時）例を示す図である。
【図２５】二重化０系ポートに関するペアポート異常時回線データ例を示す図である。
【図２６】二重化１系ポートに関するペアポート異常時回線データ例を示す図である。
【図２７】予備ポートに関するペアポート異常時回線データ例を示す図である。
【図２８】二重化運用する伝送システム９００の一例を示す図である。
【図２９】端末＿ＰＫＧ９２７を用いる伝送システム９００ａの一例を示す図である。
【図３０】端末パッケージを二重化する場合の問題点を示す伝送システム９００ｂの一例を示す図である。
【発明を実施するための最良の形態】
【００４３】
本発明に係る伝送装置および回線データ作成方法の実施形態について、図面を用いて詳しく説明する。
【００４４】
［伝送システム１００の構成例］
図１は本実施形態で説明する伝送システム１００の一例を示す図である。尚、伝送装置９１０および伝送装置９３０は図２８，図２９および図３０で説明した伝送装置９１０および伝送装置９３０と同じものである。本実施形態における伝送システム１００の特徴は、伝送装置１２０の構成および二重化運用するための回線データの作成方法にある。以下、伝送装置１２０の構成および動作について詳しく説明する。尚、図２８，図２９および図３０などでは省略したが、伝送システム１００の各伝送装置は、監視制御網１５２を介して監視制御装置１５１に接続されており、監視制御装置１５１との間で制御情報を送受信する。例えば、各伝送装置の設定データを監視制御装置１５１側から転送して設定したり、或いは各伝送装置側から警報などの情報を監視制御装置１５１に通知する。また、監視制御網１５２は、各伝送装置間で送受信される主信号に含めてインバンドで監視制御網１５２を構築しても構わない。本実施形態では、監視制御装置１５１側で各伝送装置の回線データをオフラインで作成して、各伝送装置に転送して設定するものとする。そして、各伝送装置に設定後は、各伝送装置側で二重化運用を行う。
【００４５】
［伝送装置１２０の構成例］
図１において、伝送装置１２０は、伝送路Ａ＿ＰＫＧ（０系）１２１と、ＳＷ＿ＰＫＧ（０系）１２２と、伝送路Ｂ＿ＰＫＧ（０系）１２３と、伝送路Ａ＿ＰＫＧ（１系）１２４と、ＳＷ＿ＰＫＧ（１系）１２５と、伝送路Ｂ＿ＰＫＧ（１系）１２６と、端末＿ＰＫＧ（０系）１２８と、端末＿ＰＫＧ（１系）１２９とで構成される。
【００４６】
伝送路Ａ＿ＰＫＧ（０系）１２１および伝送路Ａ＿ＰＫＧ（１系）１２４は、伝送装置９１０との間で信号を送受信し、伝送路Ｂ＿ＰＫＧ（０系）１２３および伝送路Ｂ＿ＰＫＧ（１系）１２６は、伝送装置９３０との間で信号を送受信する。
【００４７】
ＳＷ＿ＰＫＧ（０系）１２２およびＳＷ＿ＰＫＧ（１系）１２５は、先に説明した伝送装置９１０のＳＷ＿ＰＫＧ（０系）９１２およびＳＷ＿ＰＫＧ（１系）９１４と同様に、パッケージを接続するための複数の入出力ポートを有し、これらの入出力ポートはクロスポイントスイッチで相互に自由に接続することができるようになっている。そして、例えば伝送装置１２０の場合、ＳＷ＿ＰＫＧ（０系）１２２は、それぞれ異なるポートに装着される伝送路Ａ＿ＰＫＧ（０系）１２１および伝送路Ｂ＿ＰＫＧ（０系）１２３と、端末＿ＰＫＧ（０系）１２８および端末＿ＰＫＧ（１系）１２９との間の接続を行い、ＳＷ＿ＰＫＧ（１系）１２５は、それぞれ異なるポートに装着される伝送路Ａ＿ＰＫＧ（１系）１２４および伝送路Ｂ＿ＰＫＧ（１系）１２６と、端末＿ＰＫＧ（０系）１２８および端末＿ＰＫＧ（１系）１２９との間の接続を行う。
【００４８】
特に、ＳＷ＿ＰＫＧ（０系）１２２は、端末＿ＰＫＧ（０系）１２８から伝送路Ａ＿ＰＫＧ（０系）１２１側に出力される信号と、端末＿ＰＫＧ（１系）１２９から伝送路Ａ＿ＰＫＧ（０系）１２１側に出力される信号のいずれかの入力を無効化する。例えば図１の例では、ＳＷ＿ＰＫＧ（０系）１２２は、端末＿ＰＫＧ（１系）１２９から出力される信号を無効化し、端末＿ＰＫＧ（０系）１２８から出力される信号だけを伝送路Ａ＿ＰＫＧ（０系）１２１側に出力する。これにより、図３０で説明したような主信号の衝突を回避することができる。同様に、図１において、ＳＷ＿ＰＫＧ（１系）１２５の伝送路Ａ＿ＰＫＧ（１系）１２４側に出力する信号についても、端末＿ＰＫＧ（０系）１２８から出力される信号を無効化し、端末＿ＰＫＧ（１系）１２９から出力される信号だけを伝送路Ａ＿ＰＫＧ（１系）１２４側に出力しているので、主信号の衝突を回避できる。同様に、ＳＷ＿ＰＫＧ（０系）１２２およびＳＷ＿ＰＫＧ（１系）１２５から伝送路Ｂ＿ＰＫＧ（０系）１２３側および伝送路Ｂ＿ＰＫＧ（１系）１２６側に出力される信号についても端末＿ＰＫＧ（０系）１２８の出力または端末＿ＰＫＧ（１系）１２９の出力のいずれかを無効化することによって主信号の衝突を回避している。
【００４９】
また、伝送装置１２０において、端末＿ＰＫＧ（０系）１２８および端末＿ＰＫＧ（１系）１２９から紙面上側の伝送装置９１０までの回線と、端末＿ＰＫＧ（０系）１２８および端末＿ＰＫＧ（１系）１２９から紙面下側の伝送装置９３０までの回線とをそれぞれ異なる系に設定することができる。例えば伝送路Ａ＿ＰＫＧ（１系）１２４と伝送路Ｂ＿ＰＫＧ（０系）１２３とに二重障害が発生した場合、ＳＷ＿ＰＫＧ（０系）１２２から伝送路Ａ＿ＰＫＧ（０系）１２１側へ出力する信号において、端末＿ＰＫＧ（１系）１２９の出力を無効化して端末＿ＰＫＧ（０系）１２８を出力することで紙面上側では０系の運用が可能になる。一方、ＳＷ＿ＰＫＧ（１系）１２５から伝送路Ｂ＿ＰＫＧ（１系）１２６側へ出力する信号において、端末＿ＰＫＧ（１系）１２９の出力または端末＿ＰＫＧ（０系）１２８の出力のいずれかを無効化して伝送路Ｂ＿ＰＫＧ（１系）１２６側に出力することで紙面下側では１系の運用が可能になる。
【００５０】
このようにして、伝送装置１２０は、二重化された端末＿ＰＫＧ（０系）１２８および端末＿ＰＫＧ（１系）１２９を介して、伝送装置９１０と伝送装置９３０との間に０系と１系の二重化された回線を構築することができる。これにより、二重障害が発生した場合でも回線断になることを回避でき、伝送システム１００の信頼性を向上できる。
【００５１】
［ＳＷ＿ＰＫＧ（０系）１２２およびＳＷ＿ＰＫＧ（１系）１２５のポートの接続例］
ここで、図１においてＳＷ＿ＰＫＧ（０系）１２２およびＳＷ＿ＰＫＧ（１系）１２５のポート接続例について詳しく説明する。先に説明したように、ＳＷ＿ＰＫＧ（０系）１２２およびＳＷ＿ＰＫＧ（１系）１２５は複数の入出力ポートを有しており、これらのポート間の接続を切り替えることによって経路を自由に変更できるようになっている。図２は、端末＿ＰＫＧ（０系）１２８および端末＿ＰＫＧ（１系）１２９から伝送装置９１０側の構成を拡大して詳しく描いた図である。尚、図２において、図１と同符号のものは同じものを示す。ここで、例えばポート３（Ｐｏｒｔ０３）の入力ポートと出力ポートとを区別する場合は、入力ポートを（Ｐｉ−０３），出力ポートを（Ｐｏ−０３）とそれぞれ表記するものとする。例えば、ポート１０（Ｐｏｒｔ１０）の入力ポートは（Ｐｉ−１０），出力ポートは（Ｐｏ−１０）となる。
【００５２】
図２において、ＳＷ＿ＰＫＧ（０系）１２２が例えば１０個の入出力ポートを有している場合の例を挙げて説明する。ＳＷ＿ＰＫＧ（０系）１２２のポート９（入力ポート（Ｐｉ−０９）および出力ポート（Ｐｏ−０９））には端末＿ＰＫＧ（０系）１２８、ポート１０（入力ポート（Ｐｉ−１０）および出力ポート（Ｐｏ−１０））には端末＿ＰＫＧ（１系）１２９がそれぞれ接続されている。そして、ＳＷ＿ＰＫＧ（０系）１２２のポート３（入力ポート（Ｐｉ−０３）および出力ポート（Ｐｏ−０３））には伝送路Ａ＿ＰＫＧ（０系）１２１が接続されている。
【００５３】
一方、ＳＷ＿ＰＫＧ（１系）１２５のポート９（入力ポート（Ｐｉ−０９）および出力ポート（Ｐｏ−０９））には端末＿ＰＫＧ（０系）１２８、ポート１０（入力ポート（Ｐｉ−１０）および出力ポート（Ｐｏ−１０））には端末＿ＰＫＧ（１系）１２９がそれぞれ接続されている。そして、ＳＷ＿ＰＫＧ（１系）１２５のポート４（入力ポート（Ｐｉ−０４）および出力ポート（Ｐｏ−０４））には伝送路Ａ＿ＰＫＧ（１系）１２４が接続されている。
【００５４】
ＳＷ＿ＰＫＧ（０系）１２２の入力ポート（Ｐｉ−１０）は無効化され、端末＿ＰＫＧ（０系）１２８から出力される信号と端末＿ＰＫＧ（１系）１２９から出力される信号とは衝突せず、端末＿ＰＫＧ（０系）１２８から入力ポート（Ｐｉ−０９）に入力される信号は、出力ポート（Ｐｏ−０３）を介して伝送路Ａ＿ＰＫＧ（０系）１２１に出力され、伝送装置９１０側に送信される。同様に、ＳＷ＿ＰＫＧ（１系）１２５の入力ポート（Ｐｉ−０９）は無効化され、端末＿ＰＫＧ（１系）１２９から出力される信号と端末＿ＰＫＧ（０系）１２８から出力される信号とは衝突せず、端末＿ＰＫＧ（１系）１２９から入力ポート（Ｐｉ−１０）に入力される信号は、出力ポート（Ｐｏ−０４）を介して伝送路Ａ＿ＰＫＧ（１系）１２４に出力され、伝送装置９１０側に送信される。尚、図２において、黒色菱形マークは無効化されてどこにも接続されていない信号を示す。
【００５５】
このようにして、端末＿ＰＫＧ（０系）１２８と端末＿ＰＫＧ（１系）１２９で二重化した場合でも図３０の伝送装置９２０ｂのように主信号が衝突することなく、伝送装置９１０との間で２系統の回線を維持することができる。
【００５６】
ここで、図２において、ＳＷ＿ＰＫＧ（０系）１２２およびＳＷ＿ＰＫＧ（１系）１２５のそれぞれ１０個の入出力ポート名は便宜上同じ記号を用いているが、同じものではない。例えば、ＳＷ＿ＰＫＧ（０系）１２２の入力ポート（Ｐｉ−０９）と、ＳＷ＿ＰＫＧ（１系）１２５の入力ポート（Ｐｉ−０９）はそれぞれ別のものである。本文の説明では、わかり易いように、ＳＷ＿ＰＫＧ（０系）１２２やＳＷ＿ＰＫＧ（１系）１２５などを付加して記載するものとする。
【００５７】
次に、ＳＷ＿ＰＫＧ（０系）１２２やＳＷ＿ＰＫＧ（１系）１２５の内部では、ポート間の接続関係を示すクロスコネクトテーブルを保持し、クロスコネクトテーブルに従ってクロスポイントスイッチをオン／オフ（接続／非接続）し、各ポート間の接続が切り替えられる。図３は、クロスコネクトテーブルの一例を示す図である。尚、クロスコネクトテーブルは、各ポート毎に設けられ、接続先のポート番号が記載されている。ここでは、各出力ポートがどの入力ポートから信号を受け取るかを示すものとする。例えば図３（ａ）は、ＳＷ＿ＰＫＧ（０系）１２２の出力ポート（Ｐｏ−０３）のテーブル例を示し、約２００Ｍｂｐｓの通信容量に対応する３２４０個のＴＳで構成され、各ＴＳ毎に接続先の入力ポート番号が記載される。例えば図３（ａ）の例では、「１０番目のＴＳから１９番目のＴＳまで」の１０個の連続するＴＳの回線（約６４０Ｋ）が設定され、入力ポート（Ｐｉ−０９）に接続される設定になっている。つまり、入力ポート（Ｐｉ−０９）から入力する信号が出力ポート（Ｐｏ−０３）から出力されることを意味する。同様に、図３（ｂ）は、ＳＷ＿ＰＫＧ（０系）１２２の出力ポート（Ｐｏ−０９）のテーブル例を示し、「１０番目のＴＳから１９番目のＴＳまで」の１０個の連続するＴＳの回線（約６４０Ｋ）が設定され、入力ポート（Ｐｉ−０３）に接続される設定になっている。つまり、入力ポート（Ｐｉ−０３）から入力する信号が出力ポート（Ｐｏ−０９）から出力されることを意味する。
【００５８】
図３のテーブル例を図２のＳＷ＿ＰＫＧ（０系）１２２に適用した場合、図２のＳＷ＿ＰＫＧ（０系）１２２において、入力ポート（Ｐｉ−０９）と出力ポート（Ｐｏ−０３）との間の接続と、入力ポート（Ｐｉ−０３）と出力ポート（Ｐｏ−０９）との間の接続とが行われる。図２のＳＷ＿ＰＫＧ（０系）１２２の場合は、入力ポート（Ｐｉ−１０）は無効化されているので、ＳＷ＿ＰＫＧ（０系）１２２の１０個の出力ポートのいずれのテーブルにも接続先として記載されない。また、図２のＳＷ＿ＰＫＧ（０系）１２２において、出力ポート（Ｐｏ−１０）のテーブルには、図３（ｂ）の出力ポート（Ｐｏ−０９）と同じ内容が記載され、入力ポート（Ｐｉ−０３）から入力する信号を出力ポート（Ｐｏ−１０）からも出力される。
【００５９】
尚、ＳＷ＿ＰＫＧ（１系）１２５の各入出力ポートについても同様のクロスコネクトテーブルによってポート間の接続が行われる。
【００６０】
このようにして、ＳＷ＿ＰＫＧ（０系）１２２およびＳＷ＿ＰＫＧ（１系）１２５の内部では、ポート間の接続関係を示すクロスコネクトテーブルを保持し、クロスコネクトテーブルに従ってクロスポイントスイッチをオン／オフし、各ポート間の接続が切り替えられる。尚、クロスコネクトテーブルは、予め作成された各パッケージ毎に保持する回線設定データ（通常運用時や故障発生時など二重化運用や一重化運用を含む複数の回線接続データ）に基づいて更新される。例えば通常運用時のポート間接続と、故障発生時のポート間接続とは異なる。
【００６１】
ここで、２系統の回線で障害が発生していない通常運用の回線設定を行う場合、図２のＳＷ＿ＰＫＧ（０系）１２２において、出力ポート（Ｐｏ−０３）に接続可能な入力ポートは、入力ポート（Ｐｉ−０９）と入力ポート（Ｐｉ−１０）の２系統が存在する。そこで、本実施形態では、通常運用の回線設定を行う場合の疎通ルート構築のルールを決めておく。例えば０系の端末パッケージ（図２では端末＿ＰＫＧ（０系）１２８）からは同じ０系のスイッチパッケージ（図２ではＳＷ＿ＰＫＧ（０系）１２２）にのみ疎通ルートを構築し、１系のスイッチパッケージ（図２ではＳＷ＿ＰＫＧ（１系）１２５）には疎通ルートを構築しない。これにより、主信号の衝突を回避しながら回線の二重化運用が可能になる。
【００６２】
［障害発生時の回線形成］
次に、障害発生時の回線形成の一例について説明する。図４は、先に説明した伝送システム１００において、端末＿ＰＫＧ（０系）１２８に障害が発生した場合に回線を構築する例を示している。尚、図１と同符号のものは同じものを示す。
【００６３】
図４において、端末＿ＰＫＧ（０系）１２８の障害によって、端末＿ＰＫＧ（０系）１２８からＳＷ＿ＰＫＧ（０系）１２２に出力される信号がなくなるので、ＳＷ＿ＰＫＧ（０系）１２２から伝送路Ａ＿ＰＫＧ（０系）１２１に信号が出力されない。しかしながら、端末＿ＰＫＧ（０系）１２８は端末＿ＰＫＧ（１系）１２９で二重化されているので、端末＿ＰＫＧ（１系）１２９からＳＷ＿ＰＫＧ（１系）１２５を介して伝送路Ａ＿ＰＫＧ（１系）１２４に出力されるので、伝送装置９３０から伝送装置９１０までの上り回線を維持することができる。尚、この場合、伝送装置９３０から端末＿ＰＫＧ（１系）１２９に入力される信号は、０系と１系の２つの回線があるが、端末＿ＰＫＧ（１系）１２９の受信セレクタ１２９ａでいずれかを選択することにより、主信号が衝突することなく伝送装置９１０に出力することができる。
【００６４】
ここで、図４の端末＿ＰＫＧ（１系）１２９の受信セレクタ１２９ａは、ＳＷ＿ＰＫＧ（０系）１２２またはＳＷ＿ＰＫＧ（１系）１２５の２系統の入力が存在する。そこで、本実施形態における通常運用の回線設定を行う場合の疎通ルート構築のルールでは、同じ系（この場合は１系）の信号を選択するものとする。従って、図４の場合は、受信セレクタ１２９ａはＳＷ＿ＰＫＧ（１系）１２５から出力される１系の主信号を選択する。
【００６５】
尚、図４において、端末＿ＰＫＧ（０系）１２８から伝送装置９３０側に出力される信号についても同様に端末＿ＰＫＧ（１系）１２９からＳＷ＿ＰＫＧ（１系）１２５および伝送路Ｂ＿ＰＫＧ（１系）１２６を介して伝送装置９３０に出力される。
【００６６】
このように、２系統の回線のいずれかで障害が発生した場合（一重障害の場合）は、二重化運用された障害が発生していない系の回線で通信を維持することができる。
【００６７】
［二重障害発生時の回線形成］
次に、二重障害発生時の回線形成の一例について説明する。図５は、先に説明した伝送システム１００において、先ず図４と同様に端末＿ＰＫＧ（０系）１２８に障害が発生し、次に伝送路Ａ＿ＰＫＧ（１系）１２４にも障害が発生する二重障害の場合に回線を構築する例を示している。尚、図１および図４と同符号のものは同じものを示す。
【００６８】
図５において、先ず端末＿ＰＫＧ（０系）１２８の障害によって、図４で説明したように、１系の回線に切り替えられて一重化運用されている状態にあるものとする。この状態で伝送路Ａ＿ＰＫＧ（１系）１２４に故障が発生するので、端末＿ＰＫＧ（１系）１２９からＳＷ＿ＰＫＧ（１系）１２５を介して伝送路Ａ＿ＰＫＧ（１系）１２４に入力される信号は伝送装置９１０には送信されない。また、伝送装置９１０から受信する信号は、ＳＷ＿ＰＫＧ（１系）１２５および端末＿ＰＫＧ（１系）１２９には出力されない。つまり、端末＿ＰＫＧ（１系）１２９から伝送装置９１０までの１系の回線が疎通不良になってしまう。
【００６９】
そこで、図６に示すように、端末＿ＰＫＧ（１系）１２９からＳＷ＿ＰＫＧ（０系）１２２に出力される信号をＳＷ＿ＰＫＧ（０系）１２２および伝送路Ａ＿ＰＫＧ（０系）１２１を介して伝送装置９１０に出力する０系の回線を疎通させる。これにより、伝送装置９３０から伝送装置９１０までの上り回線を構築できる。
【００７０】
一方、図５において、伝送装置９１０から伝送装置９３０までの下り回線についても、伝送路Ａ＿ＰＫＧ（１系）１２４を伝送路Ａ＿ＰＫＧ（０系）１２１に迂回する回線を構築する。つまり、端末＿ＰＫＧ（１系）１２９の受信セレクタ１２９ｂをＳＷ＿ＰＫＧ（１系）１２５側からＳＷ＿ＰＫＧ（０系）１２２側に切り替える。これにより、端末＿ＰＫＧ（１系）１２９から伝送装置９３０までの下り回線を構築できる。この状態でも構わないが、端末＿ＰＫＧ（１系）１２９から伝送装置９３０までの間の回線は一重化運用されることになるので、さらに図６に示すように、ＳＷ＿ＰＫＧ（０系）１２２の端末＿ＰＫＧ（１系）１２９から伝送路Ｂ＿ＰＫＧ（０系）１２３への経路を構築することによって、端末＿ＰＫＧ（１系）１２９から伝送装置９３０までの回線を二重化運用することができ、回線の信頼性を向上することができる。
【００７１】
［スイッチパッケージの構成例］
次に、スイッチパッケージの構成例について詳しく説明する。図７は、先に説明した伝送装置１２０の構成をＳＷ＿ＰＫＧ（０系）１２２およびＳＷ＿ＰＫＧ（１系）１２５を中心に描いた図である。尚、図１および図４と同符号のものは同じものを示す。
【００７２】
図７において、伝送装置１２０は、先に説明した伝送路Ａ＿ＰＫＧ（０系）１２１，伝送路Ａ＿ＰＫＧ（１系）１２４，伝送路Ｂ＿ＰＫＧ（０系）１２３，伝送路Ｂ＿ＰＫＧ（１系）１２６，ＳＷ＿ＰＫＧ（０系）１２２，ＳＷ＿ＰＫＧ（１系）１２５，端末＿ＰＫＧ（０系）１２８および端末＿ＰＫＧ（１系）１２９の他に、伝送装置１２０全体の制御を行うための制御盤３００を有している。そして、制御盤３００は、装置制御部３０１と、メモリ３０２と、故障検出部３０３とを有し、伝送装置１２０内の各パッケージの制御や故障の検出などを行い、図１で説明した監視制御網１５２を介して監視制御装置１５１との間で制御信号を送受信する。また、伝送路Ａ＿ＰＫＧ（０系）１２１，伝送路Ａ＿ＰＫＧ（１系）１２４，伝送路Ｂ＿ＰＫＧ（０系）１２３，伝送路Ｂ＿ＰＫＧ（１系）１２６，ＳＷ＿ＰＫＧ（０系）１２２，ＳＷ＿ＰＫＧ（１系）１２５，端末＿ＰＫＧ（０系）１２８および端末＿ＰＫＧ（１系）１２９などの各パッケージにもそれぞれのパッケージを制御するための制御部や回線データを保持するためのメモリ、或いは制御盤３００の故障検出部３０３に故障検出情報を出力する故障検出インターフェースを有し、各パッケージの制御部は装置制御部３０１との間で制御信号を送受信する。
【００７３】
例えばＳＷ＿ＰＫＧ（０系）１２２は、パッケージ内の動作を制御するためのＰＫＧ制御部４０１と、パッケージ毎の回線設定データを保持するためのメモリ４０２と、複数の入出力ポート間の接続を行うためのクロスポイントスイッチなどで構成されるスイッチ部４０３とを有している。同様に、ＳＷ＿ＰＫＧ（１系）１２５は、ＰＫＧ制御部４１１と、メモリ４１２と、スイッチ部４１３とを有している。
【００７４】
尚、図１で説明した端末＿ＰＫＧ（０系）１２８および端末＿ＰＫＧ（１系）１２９についても、上記のＰＫＧ制御部４０１，４１１に相当する制御部をそれぞれ有し、各制御部は受信セレクタ１２８ａ，受信セレクタ１２８ｂ，受信セレクタ１２９ａおよび受信セレクタ１２９ｂの切り替え制御を行う。
【００７５】
［回線データについて］
ここで、図７の各パッケージのメモリに保持される回線データについて説明する。図８は、「始点：伝送装置９１０の端末Ａ」と「終点：伝送装置１２０の端末＿ＰＫＧ（０系）１２８」の間の通信回線を設定するための伝送装置１２０で必要な回線データの一例である。尚、伝送装置１２０の各パッケージで構築される回線は先に図３で説明したように、例えば２００Ｍｂｐｓの回線容量を有し、１つのＴＳが約６４ｋｂｐｓで全体のＴＳ数が３２４０個で構成されるものとする。
【００７６】
図８（ａ）は、伝送路Ａ＿ＰＫＧ（０系）１２１の回線データの一例である。図８（ａ）の回線データは、０系の上り方向（伝送装置９１０への出力側）は、２００Ｍｂｐｓの回線容量の内、先頭が１０番目のＴＳから連続するＴＳ数が１０個（つまり、１９番目のＴＳまで）の約６４０ｋｂｐｓの回線を構築することを示している。尚、０系の下り方向（伝送装置９１０からの入力側）についても同じである。
【００７７】
図８（ｂ）は、伝送路Ａ＿ＰＫＧ（１系）１２４の回線データの一例である。図８（ｂ）の回線データについても図８（ａ）と同様に、０系の上り方向（伝送装置９１０への出力側）および０系の下り方向（伝送装置９１０からの入力側）の各回線は、２００Ｍｂｐｓの回線容量の内、先頭が１０番目のＴＳから連続するＴＳ数が１０個（つまり、１９番目のＴＳまで）の約６４０ｋｂｐｓであることを示している。
【００７８】
図８（ｃ）は、端末＿ＰＫＧ（０系）１２８の回線データの一例である。また、図８（ｄ）は、端末＿ＰＫＧ（１系）１２９の回線データの一例である。図８（ｃ）および図８（ｄ）の各回線データについても、０系の上り／下り方向および１系の上り／下り方向の各回線は、２００Ｍｂｐｓの回線容量の内、先頭が１０番目のＴＳから連続するＴＳ数が１０個（つまり、１９番目のＴＳまで）の約６４０ｋｂｐｓの回線であることを示している。
【００７９】
図８（ｅ）は、ＳＷ＿ＰＫＧ（０系）１２２のメモリ４０２に保持されている回線データの一例である。図８（ｅ）の回線データは、０系の上り方向（ＳＷ＿ＰＫＧ（０系）１２２から伝送路Ａ＿ＰＫＧ（０系）１２１への出力方向）は、２００Ｍｂｐｓの回線容量の内、先頭が１０番目のＴＳから連続するＴＳ数が１０個（つまり、１９番目のＴＳまで）の約６４０ｋｂｐｓの回線を構築することを示している。そして、この約６４０ｋｂｐｓの回線は、ＳＷ＿ＰＫＧ（０系）１２２の入力ポート（Ｐｉ−０９）から入力した信号を出力ポート（Ｐｏ−０３）から出力するようにスイッチ部４０３のクロスポイントスイッチがＰＫＧ制御部４０１によって制御される（０系上り方向のレコード４３１）。この場合の信号経路は、図７のＳＷ＿ＰＫＧ（０系）１２２の信号経路４０３ａのように構築される。
【００８０】
同様に、図８（ｅ）の回線データにおいて、０系の下り方向（伝送路Ａ＿ＰＫＧ（０系）１２１からＳＷ＿ＰＫＧ（０系）１２２への入力方向）は、２００Ｍｂｐｓの回線容量の内、先頭が１０番目のＴＳから連続するＴＳ数が１０個（つまり、１９番目のＴＳまで）の約６４０ｋｂｐｓの回線を構築することを示している。そして、この約６４０ｋｂｐｓの回線は、ＳＷ＿ＰＫＧ（０系）１２２の入力ポート（Ｐｉ−０３）から入力した信号を出力ポート（Ｐｏ−０９）から出力するようにスイッチ部４０３のクロスポイントスイッチがＰＫＧ制御部４０１によって制御される（０系下り方向のレコード４３２）。この場合の信号経路は、図７のＳＷ＿ＰＫＧ（０系）１２２の信号経路４０３ｂのように構築される。
【００８１】
図８（ｆ）は、ＳＷ＿ＰＫＧ（１系）１２５のメモリ４１２に保持されている回線データの一例である。図８（ｆ）の回線データについても図８（ｅ）の回線データと同様に、ＳＷ＿ＰＫＧ（１系）１２５のスイッチ部４１３において、入力ポート（Ｐｉ−０９）から入力した信号を出力ポート（Ｐｏ−０４）から出力するようにスイッチ部４１３のクロスポイントスイッチがＰＫＧ制御部４１１によって制御される。この場合の信号経路は、図７のＳＷ＿ＰＫＧ（１系）１２５の信号経路４１３ａのように構築される。同様に、ＳＷ＿ＰＫＧ（１系）１２５のスイッチ部４１３において、入力ポート（Ｐｉ−０４）から入力した信号を出力ポート（Ｐｏ−０９）から出力するようにスイッチ部４１３のクロスポイントスイッチがＰＫＧ制御部４１１によって制御される。この場合の信号経路は、図７のＳＷ＿ＰＫＧ（１系）１２５の信号経路４１３ｂのように構築される。
【００８２】
このようにして、ＳＷ＿ＰＫＧ（０系）１２２およびＳＷ＿ＰＫＧ（１系）１２５は、端末＿ＰＫＧ（０系）１２８と伝送路Ａ＿ＰＫＧ（０系）１２１および伝送路Ａ＿ＰＫＧ（１系）１２４との間に回線を構築することができる。尚、図７では省略されているが、端末＿ＰＫＧ（１系）１２９と伝送路Ａ＿ＰＫＧ（０系）１２１および伝送路Ａ＿ＰＫＧ（１系）１２４との間にもメモリ４０２に保持された回線データに応じて各回線が構築される。また、伝送路Ｂ＿ＰＫＧ（０系）１２３および伝送路Ｂ＿ＰＫＧ（１系）１２６側についても同様にＳＷ＿ＰＫＧ（０系）１２２とＳＷ＿ＰＫＧ（１系）１２５との間に回線が構築される。尚、図８では省略したが、伝送路Ｂ＿ＰＫＧ（０系）１２３および伝送路Ｂ＿ＰＫＧ（１系）１２６の各メモリにも図８（ａ）の伝送路Ａ＿ＰＫＧ（０系）１２１や図８（ｂ）の伝送路Ａ＿ＰＫＧ（１系）１２４と同様の回線データが保持されている。
【００８３】
このように、メモリ４０２に保持された回線データに応じて伝送装置１２０内部の回線が切り替えられ、伝送装置９１０と伝送装置９３０との間に二重化された回線を提供することができる。特に、障害発生時には、伝送装置１２０内部の回線をメモリ４０２に記憶された様々な回線データを参照して障害発生部分を回避することにより、伝送装置９１０と伝送装置９３０との間の回線を維持することができる。
【００８４】
ここで、各パッケージのメモリに保持される回線データは、図１で説明したように、監視制御装置１５１側でオフラインで専用のソフトウェアを用いて各伝送装置毎に作成され、予め監視制御装置１５１から監視制御網１５２を介して各伝送装置に転送されている。そして、各伝送装置では、装置内の各パッケージのメモリに監視制御装置１５１から転送された回線データを記憶しておく。例えば図７の伝送装置１２０の場合は、監視制御装置１５１から転送される伝送装置１２０用に作成された全パッケージの回線データは、制御盤３００の装置制御部３０１で一旦受信してメモリ３０２などに保持した後、各パッケージの回線データをそれぞれ該当するパッケージの制御部に出力し、各パッケージの制御部は受け取った自パッケージの回線データをそれぞれのメモリに記憶する。例えば図７のＳＷ＿ＰＫＧ（０系）１２２の場合は、ＰＫＧ制御部４０１が装置制御部３０１からＳＷ＿ＰＫＧ（０系）１２２の回線データを受け取り、メモリ４０２に受け取った回線データを記憶する。同様に、ＳＷ＿ＰＫＧ（１系）１２５の場合は、ＰＫＧ制御部４１１が装置制御部３０１からＳＷ＿ＰＫＧ（１系）１２５の回線データを受け取り、メモリ４１２に受け取った回線データを記憶する。
【００８５】
［信号衝突を回避するための回線データ例］
次に、図１で説明したように、信号衝突を回避する場合の回線データ例について図９および図１０を用いて説明する。尚、図９は、図７のＳＷ＿ＰＫＧ（０系）１２２とＳＷ＿ＰＫＧ（１系）１２５の部分に対応し、スイッチ部４０３およびスイッチ部４１３内で構築される信号経路以外は同じ図で、同符号のものは同じものを示す。
【００８６】
図９において、伝送路Ａ＿ＰＫＧ（０系）１２１を端末＿ＰＫＧ（０系）１２８および端末＿ＰＫＧ（１系）１２９の両方に接続できるようにするための経路がＳＷ＿ＰＫＧ（０系）１２２のスイッチ部４０３内に構築される。例えば図９の場合は、スイッチ部４０３には図７で説明した信号経路４０３ａおよび信号経路４０３ｂに加えて、信号経路４０３ｃおよび信号経路４０３ｄが構築される。信号経路４０３ｃは入力ポート（Ｐｉ−１０）から入力した信号を出力ポート（Ｐｏ−０３）から出力するための経路であるが、ここでは無効化されている。尚、図９において、黒色菱形記号は信号が疎通しないことを意味する。従って、出力ポート（Ｐｏ−０３）では、入力ポート（Ｐｉ−０９）からの信号経路４０３ａと入力ポート（Ｐｉ−１０）からの信号経路４０３ｃとの衝突は回避される。
【００８７】
一方、ＳＷ＿ＰＫＧ（０系）１２２のスイッチ部４０３において、入力ポート（Ｐｉ−０３）から入力する信号は、出力ポート（Ｐｏ−０９）および出力ポート（Ｐｏ−１０）の両方に出力される。
【００８８】
同様に、ＳＷ＿ＰＫＧ（１系）１２５のスイッチ部４１３において、伝送路Ａ＿ＰＫＧ（１系）１２４を端末＿ＰＫＧ（０系）１２８および端末＿ＰＫＧ（１系）１２９の両方に接続できるようにするための経路がＳＷ＿ＰＫＧ（１系）１２５のスイッチ部４１３内に構築される。例えば図９の場合は、スイッチ部４１３には図７で説明した信号経路４１３ａおよび信号経路４１３ｂに加えて、信号経路４１３ｃおよび信号経路４１３ｄが構築される。そして、信号経路４１３ｃは入力ポート（Ｐｉ−１０）から入力した信号を出力ポート（Ｐｏ−０４）から出力するための１系の信号経路で、入力ポート（Ｐｉ−０９）から入力する０系の端末＿ＰＫＧ（０系）１２８の信号と出力ポート（Ｐｏ−０４）で衝突するので、ここでは系の異なる０系の信号経路４１３ａが無効化される。従って、出力ポート（Ｐｏ−０４）では、入力ポート（Ｐｉ−０９）からの信号経路４１３ａと入力ポート（Ｐｉ−１０）からの信号経路４１３ｃとの衝突は回避される。
【００８９】
一方、ＳＷ＿ＰＫＧ（１系）１２５のスイッチ部４１３において、入力ポート（Ｐｉ−０４）から入力する信号は、出力ポート（Ｐｏ−０９）および出力ポート（Ｐｏ−１０）の両方に出力される。
【００９０】
このようにして、図１に示したような二重化された回線を構築することができる。ここで、図９の場合のＳＷ＿ＰＫＧ（０系）１２２およびＳＷ＿ＰＫＧ（１系）１２５の回線データの一例を図１０に示す。尚、図１０は先に説明した図８に対応する図で、図１０（ａ）はＳＷ＿ＰＫＧ（０系）１２２のメモリ４０２に保持される回線データを示し、図１０（ｂ）はＳＷ＿ＰＫＧ（１系）１２５のメモリ４１２に保持される回線データを示している。
【００９１】
図１０（ａ）の回線データにおいて、０系の上り方向（ＳＷ＿ＰＫＧ（０系）１２２から伝送路Ａ＿ＰＫＧ（０系）１２１への出力方向）は、図８と同様に約６４０ｋｂｐｓの回線を構築する。そして、ＳＷ＿ＰＫＧ（０系）１２２の入力ポート（Ｐｉ−０９）から入力した信号を出力ポート（Ｐｏ−０３）から出力し、入力ポート（Ｐｉ−１０）から入力した信号を出力ポート（Ｐｏ−０３）に接続する信号経路は無効化している。これは、先に説明したように、監視制御装置１５１は、「通常運用時は伝送路パッケージと端末パッケージは同じ系同士（この場合は０系同士）を接続する」というルールに従って回線データを作成しているからである。
【００９２】
同様に、図１０（ａ）の回線データにおいて、０系の下り方向（伝送路Ａ＿ＰＫＧ（０系）１２１からＳＷ＿ＰＫＧ（０系）１２２への入力方向）についても、図８と同様に約６４０ｋｂｐｓの回線を構築する。そして、ＳＷ＿ＰＫＧ（０系）１２２の入力ポート（Ｐｉ−０３）から入力した信号を出力ポート（Ｐｏ−０９）および出力ポート（Ｐｏ−１０）の両方から出力する。
【００９３】
また、図１０（ｂ）の回線データにおいて、１系の上り方向（ＳＷ＿ＰＫＧ（１系）１２５から伝送路Ａ＿ＰＫＧ（１系）１２４への出力方向）は、図８と同様に約６４０ｋｂｐｓの回線を構築する。そして、ＳＷ＿ＰＫＧ（１系）１２５の入力ポート（Ｐｉ−１０）から入力した信号を出力ポート（Ｐｏ−０４）から出力し、入力ポート（Ｐｉ−０９）から入力した信号を出力ポート（Ｐｏ−０４）に接続する信号経路は無効化している。これは、先に説明したように、監視制御装置１５１は、「通常運用時は伝送路パッケージと端末パッケージは同じ系同士（この場合は１系同士）を接続する」というルールに従って回線データを作成しているからである。
【００９４】
同様に、図１０（ｂ）の回線データにおいて、１系の下り方向（伝送路Ａ＿ＰＫＧ（１系）１２４からＳＷ＿ＰＫＧ（１系）１２５への入力方向）についても、図８と同様に約６４０ｋｂｐｓの回線を構築する。そして、ＳＷ＿ＰＫＧ（１系）１２５の入力ポート（Ｐｉ−０４）から入力した信号を出力ポート（Ｐｏ−０９）および出力ポート（Ｐｏ−１０）の両方から出力する。
【００９５】
このようにして、端末パッケージを二重化した場合でも信号の衝突を回避し、図１に示したような二重化された回線を構築することができる。
【００９６】
ここで、例えば上記のような回避策を行わなかった場合は、先に図３０で説明したような信号の衝突が発生する。つまり、図１０（ａ）で無効化を行わない場合、図１１に示すように、ＳＷ＿ＰＫＧ（０系）１２２のスイッチ部４０３において、出力ポート（Ｐｏ−０３）には入力ポート（Ｐｉ−０９）と入力ポート（Ｐｉ−１０）の両方から信号が入力されることになり、信号の衝突が発生する。同様に、図１０（ｂ）で無効化を行わない場合、図１１に示すように、ＳＷ＿ＰＫＧ（１系）１２５のスイッチ部４１３において、出力ポート（Ｐｏ−０４）には入力ポート（Ｐｉ−０９）と入力ポート（Ｐｉ−１０）の両方から信号が入力されることになり、信号の衝突が発生する。
【００９７】
［信号衝突を回避するための変形例１］
次に、信号衝突を回避するための回線を構築する変形例１について説明する。図９では「通常運用時は伝送路パッケージと端末パッケージは同じ系同士を接続する」というルールで回線データが作成されていたが、「異なる系同士を接続する」というルールにしても構わない。図１２は、伝送路Ａ＿ＰＫＧ（０系）１２１に出力する信号として、同じ０系の端末＿ＰＫＧ（０系）１２８から入力する信号ではなく、１系の端末＿ＰＫＧ（１系）１２９から入力する信号を用いる例を示している。つまり、図１２において、ＳＷ＿ＰＫＧ（０系）１２２の入力ポート（Ｐｉ−１０）から入力した信号を出力ポート（Ｐｏ−０３）から出力し、入力ポート（Ｐｉ−０９）から入力した信号を出力ポート（Ｐｏ−０３）に接続する信号経路４０３ａは無効化している。同様に、ＳＷ＿ＰＫＧ（１系）１２５の入力ポート（Ｐｉ−０９）から入力した信号を出力ポート（Ｐｏ−０４）から出力し、入力ポート（Ｐｉ−１０）から入力した信号を出力ポート（Ｐｏ−０４）に接続する信号経路４０３ａは無効化している。
【００９８】
このように、図９と逆のルールによって信号経路を構築するようにしても構わず、この場合でも、端末パッケージを二重化した時の信号の衝突を回避できる。
【００９９】
［信号衝突を回避するための変形例２］
次に、信号衝突を回避するための回線を構築する変形例２について説明する。図９および図１２では、端末＿ＰＫＧ（０系）１２８と端末＿ＰＫＧ（１系）１２９は隣接するポートに装着された例を示した。本実施形態に係る伝送装置１２０は、各パッケージが隣接しないポートに装着された場合でも同様に信号の衝突を回避して回線の二重化を実現することができる。
【０１００】
例えば図１３は、端末＿ＰＫＧ（０系）１２８をポート１０に装着し、端末＿ＰＫＧ（１系）１２９をポート１に装着する場合を示している。図１３のＳＷ＿ＰＫＧ（０系）１２２のスイッチ部４０３において、伝送路Ａ＿ＰＫＧ（０系）１２１に信号を出力するための出力ポート（Ｐｏ−０５）には、端末＿ＰＫＧ（０系）１２８が装着される入力ポート（Ｐｉ−１０）からの信号が接続されているが、端末＿ＰＫＧ（１系）１２９が装着される入力ポート（Ｐｉ−０１）からの信号は無効化されている。また、入力ポート（Ｐｉ−０５）に装着される伝送路Ａ＿ＰＫＧ（０系）１２１からの信号は出力ポート（Ｐｏ−０１）と出力ポート（Ｐｏ−１０）の両方からそれぞれ端末＿ＰＫＧ（１系）１２９および端末＿ＰＫＧ（０系）１２８に出力されている。
【０１０１】
同様に、ＳＷ＿ＰＫＧ（１系）１２５のスイッチ部４１３において、伝送路Ａ＿ＰＫＧ（１系）１２４に信号を出力するための出力ポート（Ｐｏ−０６）には、端末＿ＰＫＧ（１系）１２９が装着される入力ポート（Ｐｉ−０１）からの信号が接続されているが、端末＿ＰＫＧ（０系）１２８が装着される入力ポート（Ｐｉ−１０）からの信号は無効化されている。また、入力ポート（Ｐｉ−０６）に装着される伝送路Ａ＿ＰＫＧ（１系）１２４からの信号は出力ポート（Ｐｏ−０１）と出力ポート（Ｐｏ−１０）の両方からそれぞれ端末＿ＰＫＧ（１系）１２９および端末＿ＰＫＧ（０系）１２８に出力されている。
【０１０２】
このように、各パッケージが隣接しないポートに装着された場合でも、ＳＷ＿ＰＫＧ（０系）１２２のスイッチ部４０３のクロスポイントスイッチの切り替えによって、或いはＳＷ＿ＰＫＧ（１系）１２５のスイッチ部４１３のクロスポイントスイッチの切り替えによって、信号の衝突を回避しながら二重化回線を構築できる。
【０１０３】
［故障発生時の信号衝突を回避するための回線データ例］
次に、故障発生時に信号衝突を回避するための回線を構築する例について説明する。図１４は、端末＿ＰＫＧ（０系）１２８に障害が発生した直後の様子、つまり障害を回避する回線を構築する前のポート間接続の様子を示している。図１４のＳＷ＿ＰＫＧ（０系）１２２のスイッチ部４０３において、伝送路Ａ＿ＰＫＧ（０系）１２１に信号を出力するための出力ポート（Ｐｏ−０３）には、端末＿ＰＫＧ（０系）１２８が装着される入力ポート（Ｐｉ−０９）からの信号経路４０３ａが接続され、端末＿ＰＫＧ（１系）１２９が装着される入力ポート（Ｐｉ−１０）からの信号経路４０３ｃは無効化されている。この場合、ＳＷ＿ＰＫＧ（０系）１２２のメモリ４０２から読み出して運用している回線データは、例えば図１５（ａ）のようになっている。図１５（ａ）の回線データは図１４に対応し、ＳＷ＿ＰＫＧ（０系）１２２のスイッチ部４０３の入力ポート（Ｐｉ−１０）から出力ポート（Ｐｏ−０３）への経路は無効化されて、図１５（ａ）の回線データには記載されていない。
【０１０４】
このような状態で、端末＿ＰＫＧ（０系）１２８に障害が発生すると、信号経路４０３ａからの信号が途切れるので、出力ポート（Ｐｏ−０３）から伝送路Ａ＿ＰＫＧ（０系）１２１に信号が出力されなくなってしまう。
【０１０５】
このような場合、図７に示したように、伝送装置１２０の装置制御部３０１は、故障検出部３０３によって端末＿ＰＫＧ（０系）１２８の障害を検出し、端末＿ＰＫＧ（０系）１２８を迂回する回線を選択するようにＳＷ＿ＰＫＧ（０系）１２２のＰＫＧ制御部４０１に指令する。そして、ＰＫＧ制御部４０１は、メモリ４０２に保持されている回線データの中から端末＿ＰＫＧ（０系）１２８が障害時の回線データを読み出し、この回線データに応じてスイッチ部４０３を制御して新たな回線を構築する。障害発生後に構築する回線データの一例を図１５（ｂ）に示す。図１５（ｂ）において、図１５（ａ）で無効化されていたＳＷ＿ＰＫＧ（０系）１２２の入力ポート（Ｐｉ−１０）から入力する信号を出力ポート（Ｐｏ−０３）から出力するようにし、入力ポート（Ｐｉ−０９）から入力する信号は無効化して出力ポート（Ｐｏ−０３）に接続しないようにスイッチ部４０３を切り替えている。これにより、図１６に示すように、信号経路４０３ａに代わって信号経路４０３ｃを介して端末＿ＰＫＧ（１系）１２９が出力する信号を伝送路Ａ＿ＰＫＧ（０系）１２１に出力することができる。
【０１０６】
以上説明してきたように、本実施形態に係る伝送装置１２０は、ＳＷ＿ＰＫＧ（０系）１２２のスイッチ部４０３およびＳＷ＿ＰＫＧ（１系）１２５のスイッチ部４１３を回線状態に応じて切り替えることによって、端末＿ＰＫＧ（０系）１２８および端末＿ＰＫＧ（１系）１２９のように端末パッケージが二重化された場合でも信号の衝突が発生することなく、二重化運用が実現でき、さらに二重障害が発生した場合でも容易に迂回経路にきりかえることができる。これにより、様々な障害の発生に対応することができ、伝送システム１００の信頼性を向上できる。
【０１０７】
尚、上記の実施形態では、各パッケージ毎の回線データは監視制御装置１５１側でオフラインで作成して監視制御網１５２を介して各伝送装置に予め転送され、各パッケージのメモリに予め記憶されていることを前提として説明した。次に、これらの回線データの作成方法について詳しく説明する。
【０１０８】
［回線データの作成方法］
次に、回線データの作成方法について説明する。回線データを作成する場合、一般に行われているように、本実施形態においても先ず「始点」と「終点」を選択する。尚、各回線は、基本的に回線終端機能を有する端末パッケージ間に形成される。
【０１０９】
図１７は、監視制御装置１５１側で回線データを作成するために使用するアプリケーションソフトウェアのフローチャートである。尚、以降の説明において、各パッケージの回線データは、パッケージ毎設定データと称する。
【０１１０】
図１７は、パッケージ毎設定データを作成するための基本的な流れを示すフローチャートである。
【０１１１】
（ステップＳ１０１）パッケージ毎設定データの作成を開始する。例えば、監視制御装置１５１のオペレータが回線データを作成するために使用するアプリケーションソフトウェアを実行させる。
【０１１２】
（ステップＳ１０２）実装設定処理では、実装設定ワークファイルを作成する。具体的には、各伝送装置に実装されているパッケージの種類や装着位置などの実装状態を取得し、ワークファイルにまとめる。例えば、先の伝送装置１２０の場合は、伝送路Ａ＿ＰＫＧ（０系）１２１，伝送路Ａ＿ＰＫＧ（１系）１２４，伝送路Ｂ＿ＰＫＧ（０系）１２３，伝送路Ｂ＿ＰＫＧ（１系）１２６，ＳＷ＿ＰＫＧ（０系）１２２，ＳＷ＿ＰＫＧ（１系）１２５，端末＿ＰＫＧ（０系）１２８および端末＿ＰＫＧ（１系）１２９などの実装状態が取得され、ワークファイル化される。尚、実装状態の取得は、監視制御網１５２を介してＳＮＭＰなどにより自動的に取得するようにしても構わないし、伝送装置の設置時や保守時にオペレータによって予め監視制御装置１５１に入力しておいても構わない。ここで、実装状態とは、伝送装置のラックに対して、どこのスロットにどういう盤を搭載するのかを示す情報である。例えば、伝送装置のラックのシェルフ０２のスロット０３には端末パッケージ（例えば、電話回線ＩＦ盤）が搭載されるなどの情報を実装設定ワークファイルにまとめる。伝送路パッケージやスイッチパッケージなどの搭載位置を示す情報についても同様である。
【０１１３】
（ステップＳ１０３）運用設定処理では、パッケージ設定ワークファイルを作成する。運用設定とは、一重化や二重化などの設定である。パッケージ設定ワークファイルは、例えば、設定対象のパッケージを二重化運用するのか、一重化運用するのかなどを設定し、さらに二重化運用の場合は当該パッケージが０系として運用されるのか、１系として運用されるのかなどを設定する。
【０１１４】
（ステップＳ１０４）始点／終点選択処理では、パス設定ワークファイルを作成する。パス設定ワークファイルは、例えば構築するパス（回線経路）の始点と終点を示す情報で、オペレータにより入力される。
【０１１５】
パス設定ワークファイルは、例えば、図２９のような一重化運用の場合は、「始点：伝送装置９１０−端末Ａ＿ＰＫＧ９１１（端末Ａ）」「終点：伝送装置９２０ａ−端末＿ＰＫＧ９２７（回線終端盤）」と、「始点：伝送装置９２０ａ−端末＿ＰＫＧ９２７（回線終端盤）」「終点：伝送装置９３０−端末Ｂ＿ＰＫＧ９３１（端末Ｂ）」の２回線のパス設定ワークファイルが作成される。
【０１１６】
或いは、図１のような二重化運用の場合の始点／終点選択処理では、伝送装置９１０，伝送装置１２０および伝送装置９３０で構成される伝送システム１００なので、以下の４回線のパス設定ワークファイルが作成される。
（回線１）「始点：伝送装置９１０−端末Ａ＿ＰＫＧ９１１（端末Ａ）」「終点：伝送装置１２０−端末＿ＰＫＧ（０系）１２８」
（回線２）「始点：伝送装置９１０−端末Ａ＿ＰＫＧ９１１（端末Ａ）」「終点：伝送装置１２０−端末＿ＰＫＧ（１系）１２９」
（回線３）「始点：伝送装置１２０−端末＿ＰＫＧ（０系）１２８」「終点：伝送装置９３０−端末Ｂ＿ＰＫＧ９３１（端末Ｂ）」
（回線４）「始点：伝送装置１２０−端末＿ＰＫＧ（１系）１２９」「終点：伝送装置９３０−端末Ｂ＿ＰＫＧ９３１（端末Ｂ）」
（ステップＳ１０５）タイムスロットアサイン処理では、回線設定ワークファイルを作成する。タイムスロットアサインは、先に図３などで説明したように、ＴＳ（タイムスロット）のアサイン（割り当て）を行うことである。例えば、２００Ｍｂｐｓの回線の中で、０系の下り回線は１０番目のＴＳから１９番目のＴＳまでの連続する１０個のＴＳを使用し、１系の上り回線は２０番目のＴＳから２９番目のＴＳまでの連続する１０個のＴＳを使用するなどの設定である。
【０１１７】
（ステップＳ１０６）パッケージ毎設定データの作成・保存処理では、ステップＳ１０２からステップＳ１０５までで作成したワークファイルの情報を集めてパッケージ毎の設定データを作成し、監視制御装置１５１の記憶媒体の保存する処理である。例えばスロット毎（当該スロットに実装されるパッケージ毎）に実装設定，運用設定，パス設定および回線設定などの情報を各ワークファイルから収集して、当該スロットに実装されるパッケージのパッケージ毎設定データを作成し、保存する。
【０１１８】
尚、監視制御装置１５１で作成され保存されたパッケージ毎設定データは、監視制御装置１５１から各伝送装置に転送され、各伝送装置の該当するパッケージのメモリに保持される。
【０１１９】
このような一連の処理によって、各伝送装置のパッケージ毎設定データが作成される。尚、上記の処理で作成された各区間の回線（例えば回線１から回線４まで）をまとめて、例えば最終的なユーザー端末間（端末Ａから端末Ｂまでなど）の区間で回線を構築することができる。
【０１２０】
図１７は１つのパッケージについてパッケージ毎設定データを作成する処理の流れを説明したが、複数のパッケージについてパッケージ毎設定データを作成する場合の処理例を図１８に示す。図１８も図１７と同様に、監視制御装置１５１側で回線データを作成するために使用するアプリケーションソフトウェアのフローチャートである。尚、図１８の場合は、端末パッケージＡ，端末パッケージＢおよび端末パッケージＣの３つのパッケージについてパッケージ毎設定データを作成する例を示している。
【０１２１】
（ステップＳ２０１）ステップＳ１０１と同様に、パッケージ毎設定データの作成を開始する。例えば、監視制御装置１５１のオペレータが回線データを作成するために使用するアプリケーションソフトウェアを実行させる。
【０１２２】
（ステップＳ２０２）ステップＳ１０２と同様に、端末パッケージＡについて実装設定処理を行い、実装設定ワークファイルを作成する。
【０１２３】
（ステップＳ２０３）ステップＳ１０２と同様に、端末パッケージＢについて実装設定処理を行い、実装設定ワークファイルを作成する。
【０１２４】
（ステップＳ２０４）ステップＳ１０２と同様に、端末パッケージＣについて実装設定処理を行い、実装設定ワークファイルを作成する。
【０１２５】
（ステップＳ２０５）ステップＳ１０３と同様に、端末パッケージＡについて運用設定処理を行い、パッケージ設定ワークファイルを作成する。尚、図１７のフローチャートなどで設定済みの場合は本処理は不要である。この例では、端末パッケージＡは一重化運用に設定される。
【０１２６】
（ステップＳ２０６）ステップＳ１０３と同様に、端末パッケージＢについて運用設定処理を行い、パッケージ設定ワークファイルを作成する。この例では、端末パッケージＢは二重化運用で０系に設定される。
【０１２７】
（ステップＳ２０７）ステップＳ１０３と同様に、端末パッケージＣについて運用設定処理を行い、パッケージ設定ワークファイルを作成する。この例では、端末パッケージＣは二重化運用で１系に設定される。
【０１２８】
（ステップＳ２０８）ステップＳ１０４と同様に、始点／終点選択処理を行い、パス設定ワークファイルを作成する。この例では、「始点：端末Ａ（端末パッケージＡ）」「終点：端末Ｂ（端末パッケージＢ）」である。
【０１２９】
（ステップＳ２０９）ステップＳ１０５と同様に、タイムスロットアサイン処理を行い、回線設定ワークファイルを作成する。この例では、「始点：端末Ａ（端末パッケージＡ）」と「終点：端末Ｂ（端末パッケージＢ）」との間に、例えば２００Ｍｂｐｓの回線の中で１０番目のＴＳから１９番目のＴＳまでの連続する１０個のＴＳを設定する。
【０１３０】
（ステップＳ２１０）ステップＳ１０４と同様に、始点／終点選択処理を行い、パス設定ワークファイルを作成する。この例では、「始点：端末Ａ（端末パッケージＡ）」「終点：端末Ｃ（端末パッケージＣ）」である。
【０１３１】
（ステップＳ２１１）ステップＳ１０５と同様に、タイムスロットアサイン処理を行い、回線設定ワークファイルを作成する。この例では、「始点：端末Ａ（端末パッケージＡ）」と「終点：端末Ｃ（端末パッケージＣ）」との間に、例えば２００Ｍｂｐｓの回線の中で１０番目のＴＳから１９番目のＴＳまでの連続する１０個のＴＳを設定する。
【０１３２】
（ステップＳ２１２）パッケージ毎設定データの作成・保存処理では、ステップＳ２０２からステップＳ２１１までで作成したワークファイルの情報を集めてパッケージ毎の設定データを作成し、監視制御装置１５１の記憶媒体の保存する処理である。この例では、端末パッケージＡ，ＢおよびＣの３つのパッケージ毎設定データを作成し、保存する。
【０１３３】
尚、監視制御装置１５１で作成され保存されたパッケージ毎設定データは、監視制御装置１５１から各伝送装置に転送され、各伝送装置の該当するパッケージのメモリに保持される。
【０１３４】
このような一連の処理によって、複数のパッケージが存在する場合でも各伝送装置のパッケージ毎に設定データが作成される。
【０１３５】
［パッケージ毎設定データの作成・保存処理の詳細］
次に、図１７のステップＳ１０６のパッケージ毎設定データの作成・保存処理や図１８のステップＳ２１２のパッケージ毎設定データの作成・保存処理について詳しく説明する。パッケージ毎設定データの作成・保存処理は、例えばスロット毎（当該スロットに実装されるパッケージ毎）に実装設定，運用設定，パス設定および回線設定などの情報を各ワークファイルから収集して、当該スロットに実装されるパッケージのパッケージ毎設定データを作成し、保存する処理である。
【０１３６】
ステップＳ１０６やステップＳ２１２でパッケージ毎設定データの作成・保存処理を行う際に、実装設定ワークファイルのレコード数（パッケージ数に対応）が複数ある場合、つまり複数のパッケージがある場合にはパッケージ毎に設定データを作成する必要がある。この時の処理の一例を図１９のフローチャートに示す。尚、ここでは、パッケージを区別するために、実装位置情報を取得キーを使用する。ここで、実装位置情報は、例えば、伝送装置１２０のシェルフ０２のスロット０３などの情報である。伝送装置１２０のシェルフ０２のスロット０３のキーは、例えば伝送装置１２０のＳＷ＿ＰＫＧ（０系）１２２のポート０９に実装される端末＿ＰＫＧ（０系）１２８にのみ対応する唯一のキーである。
【０１３７】
（ステップＳ３０１）ステップＳ１０６やステップＳ２１２に対応する。
【０１３８】
（ステップＳ３０２）ステップＳ３０３からステップＳ３０６までの処理を実装設定ワークファイルのレコード数分だけ実行するループ処理を行う。例えば、レコード数が３つある場合は、ステップＳ３０３からステップＳ３０６までの処理を３回行い、全ての処理を終了後、ステップＳ３０７に進む。
【０１３９】
（ステップＳ３０３）図１７または図１８で作成したワークファイルの中から自パッケージのパッケージ設定ワークファイルを取得する。この時、自パッケージの実装位置情報を取得キーとして利用する。
【０１４０】
（ステップＳ３０４）図１７または図１８で作成したワークファイルの中から自パッケージのパス設定ワークファイルを取得する。この時、ステップＳ３０３と同様に自パッケージの実装位置情報を取得キーとして利用する。
【０１４１】
（ステップＳ３０５）図１７または図１８で作成したワークファイルの中から自パッケージの回線設定ワークファイルを取得する。この時、ステップＳ３０３と同様に自パッケージの実装位置情報を取得キーとして利用する。
【０１４２】
（ステップＳ３０６）ステップＳ３０３，Ｓ３０４，Ｓ３０５で取得した自パッケージのパッケージ設定ワークファイル，パス設定ワークファイルおよび回線設定ワークファイルの３つのファイルを用いて自パッケージのパッケージ毎設定データを作成する。このパッケージ毎設定データは、例えば図１０や図１５などで説明した各パッケージ毎の回線データに相当する。
【０１４３】
（ステップＳ３０７）ステップＳ３０２のループ処理で作成したパッケージ毎設定データの保存処理を行う。保存処理は、監視制御装置１５１の内部のメモリやハードディスクなどの記憶媒体に保存する。
【０１４４】
このような一連の処理によって、パッケージ毎設定データが作成され、保存される。
【０１４５】
以上説明した図１７，図１８および図１９の処理は、一般的に行われるパッケージ毎設定データの作成処理である。
【０１４６】
次に、本実施形態に係る伝送装置１２０のように端末パッケージが二重化された伝送システム１００の場合に、パッケージ毎に設定データ（回線データ）を作成する方法について説明する。
【０１４７】
［本実施形態に係る回線データの作成］
図１０に示した回線データ（パッケージ毎設定データと等価）を作成する場合の例について説明する。図２０は、本実施形態に係る回線データの作成処理を示すフローチャートである。本実施形態に係る回線データの作成処理は、従来の図１８の処理に対応するが、例えば図１８のステップＳ２１０およびステップＳ２１１の処理を不要にすることができる。これは、本実施形態に係る回線データ作成方法においては、一重化から二重化、或いは二重化から一重化へ変更する際のパッケージ毎設定データは、図１８のステップＳ２１２に相当するパッケージ毎設定データの作成・保存処理で行うからである。
【０１４８】
以降、本実施形態は端末パッケージ処理とスイッチパッケージ処理とが特徴なので、この部分の処理を主体に説明する。尚、これらの処理は、監視制御装置１５１のアプリケーションソフトウェアにより実行される。
【０１４９】
（ステップＳ４０１）パッケージ毎設定データの作成・保存処理を開始する。
【０１５０】
（ステップＳ４０２）ステップＳ３０２と同様に、ステップＳ４０３からステップＳ４１１までの処理を実装設定ワークファイルのレコード数分だけ実行するループ処理を行う。
【０１５１】
（ステップＳ４０３）パッケージ毎設定データを作成するパッケージの種類を判別し、種類別の処理を行う。この例では、端末パッケージ（先に説明した端末＿ＰＫＧ（０系）１２８や端末＿ＰＫＧ（１系）１２９など）、スイッチパッケージ（先に説明したＳＷ＿ＰＫＧ（０系）１２２やＳＷ＿ＰＫＧ（１系）１２５など）、或いはクロックパッケージ（クロック＿ＰＫＧ）などを判別する。尚、クロック＿ＰＫＧは、一例として他の種類のパッケージを記載したが本実施形態では直接関係しないので詳しい説明は省略する。
【０１５２】
（ステップＳ４０４）端末＿ＰＫＧの処理を行う。
【０１５３】
（ステップＳ４０５）ＳＷ＿ＰＫＧの処理を行う。尚、この部分の処理については後で詳しく説明する。
【０１５４】
（ステップＳ４０６）クロック＿ＰＫＧに関する処理（クロック設定など）を行うが詳細な説明は省略する。
【０１５５】
（ステップＳ４０７）端末＿ＰＫＧ処理では、ステップＳ３０３と同様に、図１７または図１８で作成したワークファイルの中から自パッケージのパッケージ設定ワークファイルを取得する。この時、自パッケージの実装位置情報を取得キーとして利用する。この情報は運用設定を示す情報で、例えば一重化，二重化０系および二重化１系などの情報である。
【０１５６】
（ステップＳ４０８）ステップＳ４０７で取得した運用設定を示す情報が一重化，二重化０系および二重化１系のいずれであるかを判別し、それぞれに応じた処理に分岐する。
【０１５７】
（ステップＳ４０９）一重化のパッケージ毎設定データの作成処理を行う。尚、一重化処理は、パス設定や回線設定が一意に決まっているので１つのパッケージ毎設定データが作成されるだけである。
【０１５８】
（ステップＳ４１０）二重化０系のパッケージ毎設定データの作成処理を行う。尚、この処理については、後で詳しく説明する。
【０１５９】
（ステップＳ４１１）二重化１系のパッケージ毎設定データの作成処理を行う。尚、この処理については、後で詳しく説明する。
【０１６０】
（ステップＳ４１２）ステップＳ４０２のループ処理で作成した各パッケージのパッケージ毎設定データ保存し、処理を終了する。
【０１６１】
このようにして、本実施形態に係る伝送装置１２０のように端末パッケージが二重化された伝送システム１００の場合に、パッケージ毎に設定データ（回線データ）を作成することができる。尚、作成されるパッケージ毎設定データは、先に図１５などで説明した各パッケージ毎の回線データに相当する。
【０１６２】
［二重化０系のパッケージ毎設定データの作成処理］
次に、図２０のステップＳ４１０の二重化０系のパッケージ毎設定データの作成処理について図２１のフローチャートを用いて詳しく説明する。尚、二重化０系の設定時は、一重化の場合と同様に考えることができる。
【０１６３】
（ステップＳ５０１）二重化０系のパッケージ毎設定データの作成処理を開始する。
【０１６４】
（ステップＳ５０２）ステップＳ３０４と同様に、図１７または図１８で作成したワークファイルの中から自パッケージのパス設定ワークファイルを取得する。この時、自パッケージの実装位置情報を取得キーとして利用する。
【０１６５】
（ステップＳ５０３）ステップＳ３０５と同様に、図１７または図１８で作成したワークファイルの中から自パッケージの回線設定ワークファイルを取得する。この時、自パッケージの実装位置情報を取得キーとして利用する。
【０１６６】
（ステップＳ５０４）ステップＳ５０２，Ｓ５０３で取得した自パッケージのパス設定ワークファイルおよび回線設定ワークファイルを用いて自パッケージのパッケージ毎設定データを作成する。このパッケージ毎設定データは、例えば図８（ｃ）に対応する。
【０１６７】
（ステップＳ５０５）自パッケージに関する一連の二重化０系のパッケージ毎設定データの作成処理を終了し、ステップＳ４０２に戻る。
【０１６８】
このようにして、二重化０系のパッケージ毎設定データは、一重化の場合と同様に作成することができる。
【０１６９】
［二重化１系のパッケージ毎設定データの作成処理］
次に、図２０のステップＳ４１１の二重化１系のパッケージ毎設定データの作成処理について図２２のフローチャートを用いて詳しく説明する。二重化１系の場合は、先に図１８で設定された二重化０系のペアとなる回線なので、ペアとなる二重化０系のパッケージ毎設定データをそのままコピーして使用することができる。そこで、図２２に示すように、ペアとなる二重化０系のパッケージを検索して、その設定を利用して、二重化１系のパッケージ毎設定データを作成する。
【０１７０】
（ステップＳ６０１）二重化１系のパッケージ毎設定データの作成処理を開始する。
【０１７１】
（ステップＳ６０２）ステップＳ３０３と同様に、図１７または図１８で作成したワークファイルの中からペアとなる二重化０系のパッケージの実装位置情報を取得する。尚、どれがペアとなる二重化０系のパッケージであるかは伝送装置番号や搭載位置などから知ることができる。
【０１７２】
（ステップＳ６０３）ステップＳ３０４と同様に、図１７または図１８で作成したワークファイルの中から二重化０系のパッケージのパス設定ワークファイルを取得する。この時、ステップＳ６０２で取得した二重化０系のパッケージの実装位置情報を取得キーとして利用する。
【０１７３】
（ステップＳ６０４）ステップＳ３０５と同様に、図１７または図１８で作成したワークファイルの中から二重化０系のパッケージの回線設定ワークファイルを取得する。この時、ステップＳ６０２で取得した二重化０系のパッケージの実装位置情報を取得キーとして利用する。
【０１７４】
（ステップＳ６０５）ステップＳ６０３およびＳ６０４で取得した二重化０系のパッケージのパス設定ワークファイルおよび回線設定ワークファイルを用いて二重化１系のパッケージのパッケージ毎設定データを作成する。このパッケージ毎設定データは、例えば図８（ｄ）に対応する。
【０１７５】
（ステップＳ６０６）二重化１系のパッケージに関する一連のパッケージ毎設定データの作成処理を終了し、ステップＳ４０２に戻る。
【０１７６】
このようにして、二重化１系のパッケージ毎設定データを二重化０系のパッケージ毎設定データを利用して作成することができる。
【０１７７】
［スイッチパッケージのパッケージ毎設定データの作成処理］
次に、図２０のステップＳ４０５のスイッチパッケージ（ＳＷ＿ＰＫＧ）のパッケージ毎設定データの作成処理について図２３のフローチャートを用いて詳しく説明する。
【０１７８】
（ステップＳ７０１）スイッチパッケージのパッケージ毎設定データの作成処理を開始する。
【０１７９】
（ステップＳ７０２）ポート毎に一重化や二重化の設定を示す対応テーブルを作成する。例えば、先に説明した図９の場合は、ポート０９が二重化０系、ポート１０が二重化１系のようなテーブルが作成される。或いは、ポート０１が一重化のようなテーブルが作成されても構わない。
【０１８０】
（ステップＳ７０３）二重化１系用の回線設定ワークファイルを作成する。尚、二重化０系用の回線設定ワークファイルは図２１で説明したように、既に作成済みである。そこで、二重化０系用の回線データをコピーして１系に対応できるように回線データを作成する。
【０１８１】
例えば、図８（ｅ）のＳＷ＿ＰＫＧ（０系）１２２の回線データにおいて、０系上り方向のレコード４３１をコピーして入力側のポート番号０９をポート番号１０に変換する。この結果、例えば図１０（ａ）に示すように、１系の端末＿ＰＫＧ（１系）１２９側の回線に対応するレコード４３３を生成することができる。同様に、図８（ｅ）のＳＷ＿ＰＫＧ（０系）１２２の回線データにおいて、０系下り方向のレコード４３２をコピーして出力側のポート番号０９をポート番号１０に変換する。この結果、例えば図１０（ａ）に示すように、１系の端末＿ＰＫＧ（１系）１２９側の回線に対応するレコード４３４を生成することができる。尚、ここでは、まだワークファイルを作成するだけである。
【０１８２】
（ステップＳ７０４）ステップＳ７０５からステップＳ７１１までの処理を回線設定ワークファイルのレコード数分だけ実行するループ処理を行う。例えば、レコード数が２つある場合は、ステップＳ７０５からステップＳ７１１までの処理を２回行い、全ての処理を終了後、ステップＳ７１２に進む。
【０１８３】
（ステップＳ７０５）ＳＷ＿ＰＫＧ（０系）１２２かＳＷ＿ＰＫＧ（１系）１２５を判別し、それぞれの処理を実行する。
【０１８４】
（ステップＳ７０６）ＳＷ＿ＰＫＧ（０系）１２２の場合は、入力ポート１０に接続されるパッケージが二重化１系に対応するパッケージであるか否かを判別する。
【０１８５】
（ステップＳ７０７）１系に対応するパッケージである場合は、このレコードを破棄する。例えば、図１０（ａ）の場合は、レコード４３３が破棄される。これにより、ポート１０から入力してポート３に出力する経路が無効化される。
【０１８６】
（ステップＳ７０８）二重化１系に対応するパッケージでない場合は、このレコードを追加する。この場合は信号の衝突が発生しないからである。
【０１８７】
（ステップＳ７０９）ＳＷ＿ＰＫＧ（１系）１２５の場合は、入力ポート０９に接続されるパッケージが二重化０系に対応するパッケージであるか否かを判別する。
【０１８８】
（ステップＳ７１０）二重化０系に対応するパッケージである場合は、このレコードを破棄する。例えば、図１０（ｂ）の場合は、レコード４４１が破棄される。これにより、ポート９から入力してポート４に出力する経路が無効化される。
【０１８９】
（ステップＳ７１１）二重化０系に対応するパッケージでない場合は、このレコードを追加する。この場合は信号の衝突が発生しないからである。
【０１９０】
（ステップＳ７１２）一連のスイッチパッケージのパッケージ毎設定データの作成処理を終了する。
【０１９１】
このようにして、本実施形態に係る伝送装置１２０における回線データ作成方法では、端末＿ＰＫＧ（０系）１２８および端末＿ＰＫＧ（１系）１２９のように端末パッケージが二重化された場合でも信号の衝突が発生することなく、二重化運用が実現できるパッケージ毎設定データを作成することができる。尚、作成されたパッケージ毎設定データは、一旦、監視制御装置１５１の内部のメモリやハードディスクなどの記憶媒体に保存された後、監視制御装置１５１から各伝送装置に転送され、各伝送装置の該当するパッケージのメモリに保持される。
【０１９２】
［三重化運用時のパッケージ毎設定データの例］
次に、三重化運用時のパッケージ毎設定データの例について説明する。三重化運用時は、０系と１系と予備の３つの端末パッケージを利用する。ここで説明する例では、二重化０系の端末パッケージがスイッチパッケージのポート０１に、二重化１系の端末パッケージがポート０２に、予備の端末パッケージがポート０３にそれぞれ装着されているものとする。そして、伝送路パッケージ（０系）はポート０９に、伝送路パッケージ（１系）はポート１０にそれぞれ装着されている。
例えば、先ず「二重化０系」「二重化１系」の端末パッケージを任意に設定し、更に「予備」の端末パッケージを設定する。この場合のスイッチパッケージの「通常運用時のパッケージ毎設定データを図２４に示す。先ず、図２４で通常運用時の回線データについて説明した後、ペアポート異常時のパッケージ毎設定データについて図２５から図２７を用いて説明する。尚、ここでの説明では、ポート関係がわかり易いように入力ポート（Ｐｉ＊＊）および出力ポート（Ｐｏ＊＊）のように記載せず、例えばＰｏｒｔ０９ー＞Ｐｏｒｔ０１のように記載する。
「通常運用時」
先ず図２４は、三重化の通常運用時のパッケージ毎設定データ例である。図２４（ａ）は、二重化０系端末パッケージ（ポート０１）のパッケージ毎設定データ例である。二重化０系端末パッケージ（ポート０１）の０系の下り方向のレコード７１２（Ｐｏｒｔ０９ー＞Ｐｏｒｔ０１）は、レコード７１４（Ｐｏｒｔ１０ー＞Ｐｏｒｔ０１）とＰｏｒｔ０１で衝突するため、先に説明したルール（同じ系統の信号経路（ポート０９の伝送路パッケージ（０系））を選択するルール）に従ってレコード７１４が破棄されて無効化される。
同様に、図２４（ｂ）では、二重化１系端末パッケージ（ポート０２）の０系の下り方向のレコード７１８（Ｐｏｒｔ１０ー＞Ｐｏｒｔ０２）がレコード７１６（Ｐｏｒｔ０９ー＞Ｐｏｒｔ０２）と衝突するため、先に説明したルールに従ってレコード７１６が破棄されて無効化される。
また、図２４（ｃ）では、予備パッケージ（ポート０３）の０系の下り方向のレコード７２０（Ｐｏｒｔ０９ー＞Ｐｏｒｔ０３），７２２（Ｐｏｒｔ１０ー＞Ｐｏｒｔ０３）は共に二重化０系パッケージまたは二重化１系パッケージの信号と衝突するため、両方とも無効化される。
「二重化０系パッケージのペアポート異常時」
次に、二重化０系パッケージのペアポート異常時のパッケージ毎設定データ例について図２５を用いて説明する。図２５（ａ）は、ペアポート異常が無い場合の図２４（ａ）と同じである。
そして、三重化運用では、２つの「ペアポート」を監視し、異常を検出した「ペアポート」の状態により切り替える「ペアポート異常時の回線データ」が異なり、図２５（ｂ）から図２５（ｄ）のようになる。図２５（ｂ）は、ポート０２のみの異常を検出した場合の回線データで予備の端末パッケージは二重化０系の端末パッケージとして動作する。また、図２５（ｃ）は、ポート０３のみの異常を検出した場合の回線データで予備の端末パッケージは二重化１系の端末パッケージとして動作する。図２５（ｂ）および図２５（ｃ）の場合は、ポート０１のペアポートであるポート０２または０３のいずれか一方だけなので、図２５（ａ）と同じ回線データで予備の端末パッケージによる二重化運用を継続できる。
（二重化０系運用時のペアポート異常検出）
ところが、図２５（ａ），図２５（ｂ），図２５（ｃ）のいずれかで二重化０系を運用している時にポート０２およびポート０３の両方のペアポートが異常になった場合は、図２５（ｄ）のように、０系下り方向のレコード７１４ａを追加して、ポート１０の伝送路パッケージ（１系）に接続できるようにする。
ここで、例えば図２５（ａ），図２５（ｂ），図２５（ｃ），図２５（ｄ）の４種類（または、図２５（ａ），図２５（ｂ），図２５（ｃ）と、図２５（ｄ）の２種類でもよい）をそれぞれスイッチパッケージのメモリ４０２や制御盤３００のメモリ３０２などにメモリ領域（メモリ面と呼ぶ）を分けて予め記憶しておき、故障検出部３０３がポート異常を検出したときに、ポート異常の状態に応じてメモリ面をハード的に切り替えるようにしても構わない。或いは、故障検出部３０３が検出したポート異常の状態に応じて、ソフト的に図２５（ａ）の内容を図２５（ｂ），図２５（ｃ），図２５（ｄ）のいずれかに書き換えるようにしても構わない。
（二重化１系運用時のペアポート異常検出）
図２５と同様に、図２６（ａ），図２６（ｂ），図２６（ｃ）のいずれかで二重化１系を運用している時にポート０１およびポート０３の両方のペアポートが異常になった場合は、図２６（ｄ）のように、０系下り方向のレコード７１６ａを追加して、ポート０９の伝送路パッケージ（０系）に接続できるようにする。
ここで、図２５の場合と同様に、例えば図２６（ａ），図２６（ｂ），図２６（ｃ），図２６（ｄ）の４種類（または、図２６（ａ），図２６（ｂ），図２６（ｃ）と、図２６（ｄ）との２種類でもよい）をそれぞれスイッチパッケージのメモリ４０２や制御盤３００のメモリ３０２などにメモリ面を分けて予め記憶しておき、故障検出部３０３がポート異常を検出したときに、ポート異常の状態に応じてメモリ面をハード的に切り替えるようにしても構わない。或いは、故障検出部３０３が検出したポート異常の状態に応じて、ソフト的に図２６（ａ）の内容を図２６（ｂ），図２６（ｃ），図２６（ｄ）のいずれかに書き換えるようにしても構わない。
（二重化予備系運用時のペアポート異常検出）
図２７（ａ）で通常運用をしている場合に、ポート０１が異常になった場合は、図２７（ｂ）のように、０系下り方向のレコード７２０ａを追加して、ポート０９の伝送路パッケージ（０系）に接続できるようにする。
または、図２７（ａ）で通常運用をしている場合に、ポート０２が異常になった場合は、図２７（ｃ）のように、０系下り方向のレコード７２２ａを追加して、ポート１０の伝送路パッケージ（１系）に接続できるようにする。
或いは、図２７（ａ），図２７（ｂ），図２７（ｃ）で運用をしている場合に、ポート０１とポート０２の両方が異常になった場合は、図２７（ｄ）のように、０系下り方向のレコード７２０ａと、０系下り方向のレコード７２２ａとを追加して、ポート０９の伝送路パッケージ（０系）およびポート１０の伝送路パッケージ（１系）にそれぞれ接続できるようにする。
ここで、図２５および図２６の場合と同様に、例えば図２７（ａ），図２７（ｂ），図２７（ｃ），図２７（ｄ）の４種類をそれぞれスイッチパッケージのメモリ４０２や制御盤３００のメモリ３０２などにメモリ面を分けて予め記憶しておき、故障検出部３０３がポート異常を検出したときに、ポート異常の状態に応じてメモリ面をハード的に切り替えるようにしても構わない。或いは、故障検出部３０３が検出したポート異常の状態に応じて、ソフト的に図２７（ａ）の内容を図２７（ｂ），図２７（ｃ），図２７（ｄ）のいずれかに書き換えるようにしても構わない。
このようにして、「二重化０系の端末パッケージ」および「二重化１系の端末パッケージ」は、それぞれのパッケージにおいて監視する２つのポート（ペアポート）が共に異常になった場合のみに、それぞれのペアポート異常時回線データに切り替える動作を行う。これにより、「予備」の端末パッケージは、「二重化０系の端末パッケージのポート」のみが異常の場合に「二重化０系の端末パッケージ」として動作し、「二重化１系の端末パッケージのポート」のみが異常の場合に「二重化１系の端末パッケージ」として動作する。さらに、「両方のポート」が異常状態の場合は「二重化０系の端末パッケージ」および「二重化１系の端末パッケージ」に切り替える動作を行い、三重化運用を実現できる。
特に、三重化運用する場合でも、先の二重化運用時と同様に、故障発生時の信号経路の切り替えをハードウェアまたはソフトウェアで容易に実現することができる。尚、四重運用やそれ以上の複数化運用の場合でも同様に実現することができる。
【０１９３】
以上、各実施形態において説明してきたように、本発明に係る伝送装置および回線データ作成方法は、二重障害を回避するために端末パッケージで二重化運用する場合でも信号の衝突を回避することができる。
【０１９４】
特に、スイッチパッケージ側に受信セレクタを持たない構成の伝送装置において、端末パッケージの二重化運用が可能であり、障害発生時における回線の信頼性を向上できる。
【０１９５】
また、端末パッケージを一重化運用する場合とほぼ同等の手順で、二重化運用時の回線データを作成可能なので、操作性の向上と誤設定を防止できる。
【０１９６】
さらに、端末パッケージを一重化または二重化で運用している回線データに関して、一重化から二重化へ、またその逆の変更が容易なので、操作性の向上と誤設定を防止できる。
【０１９７】
また、端末パッケージに故障が発生した場合でも回線の疎通ルートを最適化するので、ネットワーク全体の回線の信頼性を向上できる。
【０１９８】
さらに、端末パッケージを三重化や四重化のようにハードウェアの受信セレクタに依存しない運用が可能なので、重要回線において更なる回線の信頼性を向上できる。
【０１９９】
以上、本発明に係る伝送装置および回線データ作成方法について、実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【０２００】
１００，９００，９００ａ，９００ｂ・・・伝送システム
１２０，９１０，９２０，９３０・・・伝送装置
１５１・・・監視制御装置
１５２・・・監視制御網
１２１・・・伝送路Ａ＿ＰＫＧ（０系）
１２２・・・ＳＷ＿ＰＫＧ（０系）
１２３・・・伝送路Ｂ＿ＰＫＧ（０系）
１２４・・・伝送路Ａ＿ＰＫＧ（１系）
１２５・・・ＳＷ＿ＰＫＧ（１系）
１２６・・・伝送路Ｂ＿ＰＫＧ（１系）
１２８・・・端末＿ＰＫＧ（０系）
１２９・・・端末＿ＰＫＧ（１系）
３００・・・制御盤
３０１・・・装置制御部
３０２・・・メモリ
３０３・・・故障検出部
４０１・・・ＰＫＧ制御部
４０２・・・メモリ
４０３・・・スイッチ部
４１１・・・ＰＫＧ制御部
４１２・・・メモリ
４１３・・・スイッチ部
９１１・・・端末Ａ＿ＰＫＧ
９１２，９２２，９３２・・・ＳＷ＿ＰＫＧ（０系）
９１３・・・伝送路＿ＰＫＧ（０系）
９１４，９２５，９３４・・・ＳＷ＿ＰＫＧ（１系）
９１５・・・伝送路＿ＰＫＧ（１系）
９２１・・・伝送路Ａ＿ＰＫＧ（０系）
９２３・・・伝送路Ｂ＿ＰＫＧ（０系）
９２４・・・伝送路Ａ＿ＰＫＧ（１系）
９２６・・・伝送路Ｂ＿ＰＫＧ（１系）
９３１・・・端末Ｂ＿ＰＫＧ
９３３・・・伝送路＿ＰＫＧ（０系）
９３５・・・伝送路＿ＰＫＧ（１系）
【図１】
0005421189.tif 000002
【図２】
0005421189.tif 000003
【図３】
0005421189.tif 000004
【図４】
0005421189.tif 000005
【図５】
0005421189.tif 000006
【図６】
0005421189.tif 000007
【図７】
0005421189.tif 000008
【図８】
0005421189.tif 000009
【図９】
0005421189.tif 000010
【図１０】
0005421189.tif 000011
【図１１】
0005421189.tif 000012
【図１２】
0005421189.tif 000013
【図１３】
0005421189.tif 000014
【図１４】
0005421189.tif 000015
【図１５】
0005421189.tif 000016
【図１６】
0005421189.tif 000017
【図１７】
0005421189.tif 000018
【図１８】
0005421189.tif 000019
【図１９】
0005421189.tif 000020
【図２０】
0005421189.tif 000021
【図２１】
0005421189.tif 000022
【図２２】
0005421189.tif 000023
【図２３】
0005421189.tif 000024
【図２４】
0005421189.tif 000025
【図２５】
0005421189.tif 000026
【図２６】
0005421189.tif 000027
【図２７】
0005421189.tif 000028
【図２８】
0005421189.tif 000029
【図２９】
0005421189.tif 000030
【図３０】
0005421189.tif 000031